(57)【要約】  特定の実施形態によれば、グラントフリーリソース上でアップリンク制御情報（ＵＣＩ）を送信するための無線デバイスにおける方法は、ＵＣＩを送信するために、グラントフリーアップリンクチャネルの時間／周波数リソースのサブセットを予約することと、無線デバイスがグラントフリーアップリンクチャネルで送信するためのＵＣＩを有していると判定すると、予約された時間／周波数リソースのサブセット内でＵＣＩをネットワークノードに送信することと、を含む。【選択図】図２
2020537372.tif 000002
【特許請求の範囲】
【請求項１】
グラントフリーリソース上でアップリンク制御情報（ＵＣＩ）を送信するための無線デバイスにおける方法であって、
ＵＣＩを送信するために、グラントフリーアップリンクチャネルの時間／周波数リソースのサブセットを予約すること（４１４）と、
前記無線デバイスが前記グラントフリーアップリンクチャネルで送信するためのＵＣＩを有していると判定すると、前記予約された時間／周波数リソースのサブセット内で前記ＵＣＩをネットワークノードに送信すること（４１６）と、
を含む方法。
【請求項２】
前記無線デバイスが前記グラントフリーアップリンクチャネルで送信するためのＵＣＩを有していないと判定すると、前記予約された時間／周波数リソースのサブセット内でユーザデータを送信すること（４１８）をさらに含む
請求項１に記載の方法。
【請求項３】
前記無線デバイスが前記グラントフリーアップリンクチャネルで送信するためのＵＣＩを有していないと判定すると、前記予約された時間／周波数リソースのサブセット内でユーザデータを送信しないことをさらに含む
請求項１に記載の方法。
【請求項４】
ＵＣＩを送信するための構成情報を受信すること（４１２）をさらに含み、前記構成情報は、ＵＣＩを送信するために予約する時間／周波数リソースの前記サブセット、ＵＣＩペイロードサイズ、およびＵＣＩタイプの少なくとも１つを含む
請求項１乃至３の何れか１項に記載の方法。
【請求項５】
前記構成情報を受信することは、無線リソース制御（ＲＲＣ）シグナリングを受信することとレイヤ１シグナリングを受信することとの少なくとも１つを含む
請求項４に記載の方法。
【請求項６】
前記グラントフリーアップリンクチャネルがＵＣＩのために予約された時間／周波数リソースのサブセットを含むことを示す第１の復調参照信号（ＤＭＲＳ）を送信し、前記グラントフリーアップリンクチャネルがＵＣＩのために予約された時間／周波数リソースのサブセットを含まないことを示す第２のＤＭＲＳを送信することにより、グラントフリーアップリンクチャネルの時間／周波数リソースのサブセットがＵＣＩを送信するために予約されているかどうかを示すこと（４１８）をさらに含む
請求項１乃至５の何れか１項に記載の方法。
【請求項７】
前記グラントフリーアップリンクチャネルがＵＣＩのために予約された時間／周波数リソースのサブセットを含むことを示す第１のリソースプールを選択し、前記グラントフリーアップリンクチャネルがＵＣＩのために予約された時間／周波数リソースのサブセットを含まないことを示す第２のリソースプールを選択することにより、グラントフリーアップリンクチャネルの時間／周波数リソースのサブセットがＵＣＩを送信するために予約されているかどうかを示すこと（４１８）をさらに含む
請求項１乃至５の何れか１項に記載の方法。
【請求項８】
グラントフリーリソース上でアップリンク制御情報（ＵＣＩ）を送信するよう動作可能な無線デバイス（１１０）であって、
ＵＣＩを送信するために、グラントフリーアップリンクチャネルの時間／周波数リソースのサブセットを予約し、
前記無線デバイスが前記グラントフリーアップリンクチャネルで送信するためのＵＣＩを有していると判定すると、前記予約された時間／周波数リソースのサブセット内で前記ＵＣＩをネットワークノード（１６０）に送信する、
ように動作可能な処理回路（１２０）を含む無線デバイス。
【請求項９】
前記処理回路は、前記無線デバイスが前記グラントフリーアップリンクチャネルで送信するためのＵＣＩを有していないと判定すると、前記予約された時間／周波数リソースのサブセット内でユーザデータを送信するようにさらに動作可能である
請求項８に記載の無線デバイス。
【請求項１０】
前記処理回路は、前記無線デバイスが前記グラントフリーアップリンクチャネルで送信するためのＵＣＩを有していないと判定すると、前記予約された時間／周波数リソースのサブセット内でユーザデータを送信しないようにさらに動作可能である
請求項８に記載の無線デバイス。
【請求項１１】
前記処理回路は、ＵＣＩを送信するための構成情報を受信するようにさらに動作可能であり、前記構成情報は、ＵＣＩを送信するために予約する時間／周波数リソースの前記サブセット、ＵＣＩペイロードサイズ、およびＵＣＩタイプの少なくとも１つを含む
請求項８乃至１０の何れか１項に記載の無線デバイス。
【請求項１２】
前記処理回路は、無線リソース制御（ＲＲＣ）シグナリングとレイヤ１シグナリングとの少なくとも１つを受信することにより、前記構成情報を受信するように動作可能である
請求項１１に記載の無線デバイス。
【請求項１３】
前記処理回路は、前記グラントフリーアップリンクチャネルがＵＣＩのために予約された時間／周波数リソースのサブセットを含むことを示す第１の復調参照信号（ＤＭＲＳ）を送信し、前記グラントフリーアップリンクチャネルがＵＣＩのために予約された時間／周波数リソースのサブセットを含まないことを示す第２のＤＭＲＳを送信することにより、グラントフリーアップリンクチャネルの時間／周波数リソースのサブセットがＵＣＩを送信するために予約されているかどうかを示すようにさらに動作可能である
請求項８乃至１２の何れか１項に記載の無線デバイス。
【請求項１４】
前記処理回路は、前記グラントフリーアップリンクチャネルがＵＣＩのために予約された時間／周波数リソースのサブセットを含むことを示す第１のリソースプールを選択し、前記グラントフリーアップリンクチャネルがＵＣＩのために予約された時間／周波数リソースのサブセットを含まないことを示す第２のリソースプールを選択することにより、グラントフリーアップリンクチャネルの時間／周波数リソースのサブセットがＵＣＩを送信するために予約されているかどうかを示すようにさらに動作可能である
請求項８乃至１２の何れか１項に記載の無線デバイス。
【請求項１５】
グラントフリーリソース上のアップリンク制御情報（ＵＣＩ）を受信するためのネットワークノードにおける方法であって、
ＵＣＩ構成情報を無線デバイスに送信すること（５１２）であって、前記ＵＣＩ構成情報は、ＵＣＩを送信するために予約するグラントフリーアップリンクチャネルの時間／周波数リソースのサブセット、ＵＣＩペイロードサイズ、およびＵＣＩタイプの少なくとも１つのインジケーションを含む、前記送信すること（５１２）と、
前記グラントフリーアップリンクチャネルを受信すること（５１４）と、
前記受信したグラントフリーアップリンクチャネルが予約された時間／周波数リソースのサブセット内にＵＣＩを含むかどうかを判定すること（５１６）と、
を含む方法。
【請求項１６】
前記ＵＣＩ構成情報を前記無線デバイスに送信することは、無線リソース制御（ＲＲＣ）シグナリングを送信することとレイヤ１シグナリングを送信することとの少なくとも１つを含む
請求項１５に記載の方法。
【請求項１７】
前記受信したグラントフリーアップリンクチャネルが前記予約された時間／周波数リソースのサブセット内にＵＣＩを含むかどうかを判定することは、受信された復調参照信号（ＤＭＲＳ）が、前記グラントフリーアップリンクチャネルがＵＣＩのために予約された時間／周波数リソースのサブセットを含むことを示す第１のタイプであるか、前記グラントフリーアップリンクチャネルがＵＣＩのために予約された時間／周波数リソースのサブセットを含まないことを示す第２のタイプであるか、を判定することを含む
請求項１５または１６に記載の方法。
【請求項１８】
前記受信したグラントフリーアップリンクチャネルが前記予約された時間／周波数リソースのサブセット内にＵＣＩを含むかどうかを判定することは、前記予約された時間／周波数リソースのサブセットを盲目的に復号することを含む
請求項１５または１６に記載の方法。
【請求項１９】
前記受信したグラントフリーアップリンクチャネルが前記予約された時間／周波数リソースのサブセット内にＵＣＩを含むかどうかを判定することは、前記予約された時間／周波数リソースのサブセットが、第１のリソースプールに属するか、第２のリソースプールに属するか、を判定することを含む
請求項１５または１６に記載の方法。
【請求項２０】
グラントフリーリソース上のアップリンク制御情報（ＵＣＩ）を受信するよう動作可能なネットワークノード（１６０）であって、
ＵＣＩ構成情報を無線デバイス（１１０）に送信し、前記ＵＣＩ構成情報は、ＵＣＩを送信するために予約するグラントフリーアップリンクチャネルの時間／周波数リソースのサブセット、ＵＣＩペイロードサイズ、およびＵＣＩタイプの少なくとも１つのインジケーションを含み、
前記グラントフリーアップリンクチャネルを受信し、
前記受信したグラントフリーアップリンクチャネルが予約された時間／周波数リソースのサブセット内にＵＣＩを含むかどうかを判定する、
ように動作可能な処理回路（１７０）を含むネットワークノード。
【請求項２１】
前記処理回路は、無線リソース制御（ＲＲＣ）シグナリングとレイヤ１シグナリングとの少なくとも１つを使用して、前記ＵＣＩ構成情報を前記無線デバイスに送信するように動作可能である
請求項２０に記載のネットワークノード。
【請求項２２】
前記処理回路は、受信された復調参照信号（ＤＭＲＳ）が、前記グラントフリーアップリンクチャネルがＵＣＩのために予約された時間／周波数リソースのサブセットを含むことを示す第１のタイプであるか、前記グラントフリーアップリンクチャネルがＵＣＩのために予約された時間／周波数リソースのサブセットを含まないことを示す第２のタイプであるか、を判定することにより、前記受信したグラントフリーアップリンクチャネルが前記予約された時間／周波数リソースのサブセット内にＵＣＩを含むかどうかを判定するように動作可能である
請求項２０または２１に記載のネットワークノード。
【請求項２３】
前記処理回路は、前記予約された時間／周波数リソースのサブセットを盲目的に復号することにより、前記受信したグラントフリーアップリンクチャネルが前記予約された時間／周波数リソースのサブセット内にＵＣＩを含むかどうかを判定するように動作可能である
請求項２０または２１に記載のネットワークノード。
【請求項２４】
前記処理回路は、前記予約された時間／周波数リソースのサブセットが、第１のリソースプールに属するか、第２のリソースプールに属するか、を判定することにより、前記受信したグラントフリーアップリンクチャネルが前記予約された時間／周波数リソースのサブセット内にＵＣＩを含むかどうかを判定するように動作可能である
請求項２０または２１に記載のネットワークノード。
【請求項２５】
グラントフリーリソース上でアップリンク制御情報（ＵＣＩ）を送信するよう動作可能な無線デバイス（１１０）であって、該無線デバイスは構成ユニット（１６０４）と送信ユニット（１６０６）とを含み、
前記構成ユニットは、ＵＣＩを送信するために、グラントフリーアップリンクチャネルの時間／周波数リソースのサブセットを予約するように動作可能であり、
前記送信ユニットは、前記無線デバイスが前記グラントフリーアップリンクチャネルで送信するためのＵＣＩを有していると判定すると、前記予約された時間／周波数リソースのサブセット内で前記ＵＣＩをネットワークノード（１６０）に送信するように動作可能である
無線デバイス。
【請求項２６】
グラントフリーリソース上のアップリンク制御情報（ＵＣＩ）を受信するよう動作可能なネットワークノード（１６０）であって、該ネットワークノードは送信ユニット（１７０６）と受信ユニット（１７０４）とを含み、
前記送信ユニットは、ＵＣＩ構成情報を無線デバイス（１１０）に送信するように動作可能であり、前記ＵＣＩ構成情報は、ＵＣＩを送信するために予約するグラントフリーアップリンクチャネルの時間／周波数リソースのサブセット、ＵＣＩペイロードサイズ、およびＵＣＩタイプの少なくとも１つのインジケーションを含み、
前記受信ユニットは、
前記グラントフリーアップリンクチャネルを受信し、
前記受信したグラントフリーアップリンクチャネルが予約された時間／周波数リソースのサブセット内にＵＣＩを含むかどうかを判定する、
ように動作可能である
ネットワークノード。
【発明の詳細な説明】
【技術分野】
【０００１】
本開示の実施形態は、無線通信、特に、グラントフリー物理アップリンク共有チャネル（ＰＵＳＣＨ）上のアップリンク制御情報（ＵＣＩ）に向けられている。
【背景技術】
【０００２】
一般的に、本明細書で使用されるすべての用語は、異なる意味が明確に与えられている場合および／またはそれが使用される文脈から暗示されている場合を除き、関連する技術分野における通常の意味に従って解釈されるべきである。１つの／その（a／an／the）要素、装置、構成要素、手段、ステップなどへのすべての言及は、明示的に別段の記載がない限り、要素、装置、構成要素、手段、ステップなどの少なくとも１つのインスタンスを参照していると公然と解釈されるべきである。本明細書に開示された任意の方法のステップは、ステップが他のステップに続くか先行するように明示的に記述されている場合、および／またはステップが他のステップに続くか先行しなければならないことが暗黙的に記述されている場合を除き、開示された正確な順序で実行されなければならないわけではない。本明細書に開示された実施形態のいずれかの特徴は、適切な場合はどこでも、他の実施形態に適用することができる。同様に、本明細書に開示された実施形態のいずれかの利点は、他の実施形態のいずれかに適用されてもよく、またその逆も同様である。囲い込まれた実施形態の他の目的、特徴および利点は、以下の説明から明らかになるであろう。
【０００３】
第３世代パートナーシッププロジェクト（３ＧＰＰ）ロングタームエボリューション（ＬＴＥ）やニューラジオ（ＮＲ）規格などのセルラー無線システムでは、アップリンク送信のためのリソースは、通常、ネットワークノード（ｅＮＢ、ｇＮＢなど）によってスケジューリングされる。スケジューリングは、動的（すなわち、ｅＮＢは、送信時間間隔（ＴＴＩ）または複数のＴＴＩ（ＴＴＩバンドル）であってもよい送信機会ごとにアップリンク送信をスケジューリングする）であってもよい。代替的に、ネットワークノードは、複数の周期的な機会が同時に（すなわち、データ送信の前に）グラントされる半永続的スケジューリング（ＳＰＳ）を使用してアップリンク送信をスケジューリングしてもよい。ＳＰＳの構成は、グラントの周期性、時間および周波数における割り当て、および後続のＳＰＳ機会における変調および符号化スキーム（ＭＣＳ）を含む。
【０００４】
ＳＰＳの利点の１つは、アップリンクデータ伝送の遅延低減である。アップリンクダイナミックスケジューリングと比較して、ＳＰＳは、ユーザ装置（ＵＥ）によるスケジューリング要求の送信と、ｅＮＢによるアップリンクダイナミックグラントでの応答を除去するため、より迅速にアップリンク伝送リソースにアクセスすることができる。
【０００５】
遅延をさらに低減するために、周期性を最小値（例えば、ＬＴＥでは１ＴＴＩ）に低減してもよい。以前のＬＴＥリリースでは、データバッファが空の場合、ＵＥは、割り当てられたＳＰＳリソース上にパディングを送信する。このような低い周期性では、ＵＥは空のデータを持っている可能性が高く、ＴＴＩごとにパディングを送信すると、不要な干渉が発生する。一つの解決策は、データバッファが空の場合にアップリンクデータ送信をスキップすることである。しかし、設定されたリソースは、ＵＥのためにまだ予約されているため、非効率的なリソース利用につながる可能性がある。
【０００６】
ＮＲには、ＳＰＳにおける定期的なアップリンク伝送リソースの割り当てが含まれており、これは、グラントフリーのアップリンク伝送と呼ばれることがある。ＮＲは、低遅延および高信頼性の要件をサポートするための追加機能を含む。
【０００７】
ＮＲは、２つのタイプのグラントフリーアップリンク伝送（タイプ１およびタイプ２と呼ばれる）を含む。タイプ１のグラントフリーアップリンクデータ伝送では、リソース構成は、Ｌ１シグナリングなしでＲＲＣ（再）構成のみに基づいている。タイプ２グラントフリーアップリンクデータ伝送はＬＴＥのＳＰＳに似ており、ＲＲＣ構成とＬ１シグナリングの両方に基づいてアップリンクリソースをアクティブ化／非アクティブ化する。ＮＲの仕様は進行中であるため、本明細書で使用される「グラント無し（without grant）のアップリンク伝送」または「グラントフリー（grant-free）」という表現は、上述のタイプ１またはタイプ２スキームのいずれかを指している。
【０００８】
アップリンク制御情報（ＵＣＩ）は、物理アップリンク制御チャネル（ＰＵＣＣＣＨ）または物理アップリンク共有チャネル（ＰＵＳＣＨ）によって搬送される。ＵＣＩは、１つまたは複数のアップリンク制御情報（すなわち、ダウンリンク確認応答（ＡＣＫ／ＮＡＣＫ）、チャネル品質インジケータ（ＣＱＩ）、および／またはスケジューリング要求（ＳＲ））を含む。
【０００９】
ＵＣＩは、ＵＥがアップリンクでユーザデータを送信する場合、ＰＵＳＣＣＨ上で送信される。この場合、ＰＵＣＣＨは送信されない。送信するユーザデータがない場合は、ＵＣＩはＰＵＣＣＨで伝送される。
【発明の概要】
【００１０】
以上の説明から、現在、グラントフリーリソースを用いた場合のアップリンク制御情報（ＵＣＩ）の伝送には、一定の課題が存在する。例えば、グラントベースの物理アップリンク共有チャネル（ＰＵＳＣＨ）上でＵＣＩを送信する場合、ＵＣＩのためのリソースは、グラント（許可）されたＰＵＳＣＨ上にｇＮＢによって設定される。しかし、グラントフリーリソース上でＵＣＩを送信するためのメカニズムは定義されていない。
【００１１】
特定の実施形態は、これらおよび／または他の課題に対する解決策を提供する。例えば、特定の実施形態は、ＵＣＩを送信するためのグラントフリーリソースの一部の構成を含む。いくつかの実施形態では、ユーザ装置（ＵＥ）は、常にグラントフリーＰＵＳＣＨ内のＵＣＩリソースを予約する。いくつかの実施形態では、ＵＥは、ＵＥが送信するＵＣＩを有する場合、グラントフリーＰＵＳＣＨ内のＵＣＩリソースを予約する。一般に、特定の実施形態では、ＵＣＩの送信のためのグラントフリーリソースの一部を構成することを含み、リソースは、常にＵＣＩ送信のために予約されているかまたはＵＥがＰＵＳＣＨ上で送信するＵＣＩを有している場合にのみ予約されているかのいずれかである。
【００１２】
いくつかの実施形態によれば、グラントフリーリソース上でＵＣＩを送信するための無線デバイスにおける方法は、ＵＣＩを送信するために、グラントフリーアップリンクチャネルの時間／周波数リソースのサブセットを予約することと、前記無線デバイスが前記グラントフリーアップリンクチャネルで送信するためのＵＣＩを有していると判定すると、前記予約された時間／周波数リソースのサブセット内で前記ＵＣＩをネットワークノードに送信することと、を含む。前記方法は、前記無線デバイスが前記グラントフリーアップリンクチャネルで送信するためのＵＣＩを有していないと判定すると、前記予約された時間／周波数リソースのサブセット内でユーザデータを送信すること、または、前記予約された時間／周波数リソースのサブセット内でユーザデータを送信しないこと、を含み得る。
【００１３】
特定の実施形態では、前記方法は、ＵＣＩを送信するための構成情報を受信することをさらに含む。前記構成情報は、ＵＣＩを送信するために予約する時間／周波数リソースの前記サブセット、ＵＣＩペイロードサイズ、およびＵＣＩタイプの少なくとも１つを含む。前記構成情報を受信することは、無線リソース制御（ＲＲＣ）シグナリングを受信することとレイヤ１シグナリングを受信することとの少なくとも１つを含み得る。
【００１４】
特定の実施形態では、前記方法は、前記グラントフリーアップリンクチャネルがＵＣＩのために予約された時間／周波数リソースのサブセットを含むことを示す第１の復調参照信号（ＤＭＲＳ）を送信し、前記グラントフリーアップリンクチャネルがＵＣＩのために予約された時間／周波数リソースのサブセットを含まないことを示す第２のＤＭＲＳを送信することにより、グラントフリーアップリンクチャネルの時間／周波数リソースのサブセットがＵＣＩを送信するために予約されているかどうかを示すことをさらに含む。いくつかの実施形態では、前記方法は、前記グラントフリーアップリンクチャネルがＵＣＩのために予約された時間／周波数リソースのサブセットを含むことを示す第１のリソースプールを選択し、前記グラントフリーアップリンクチャネルがＵＣＩのために予約された時間／周波数リソースのサブセットを含まないことを示す第２のリソースプールを選択することにより、グラントフリーアップリンクチャネルの時間／周波数リソースのサブセットがＵＣＩを送信するために予約されているかどうかを示すことをさらに含む。
【００１５】
いくつかの実施形態によれば、無線デバイスは、グラントフリーリソース上でＵＣＩを送信するよう動作可能である。前記無線デバイスは、ＵＣＩを送信するために、グラントフリーアップリンクチャネルの時間／周波数リソースのサブセットを予約し、前記無線デバイスが前記グラントフリーアップリンクチャネルで送信するためのＵＣＩを有していると判定すると、前記予約された時間／周波数リソースのサブセット内で前記ＵＣＩをネットワークノードに送信する、ように動作可能な処理回路を含む。
【００１６】
特定の実施形態では、前記処理回路は、前記無線デバイスが前記グラントフリーアップリンクチャネルで送信するためのＵＣＩを有していないと判定すると、前記予約された時間／周波数リソースのサブセット内でユーザデータを送信するように、または、前記予約された時間／周波数リソースのサブセット内でユーザデータを送信しないように、さらに動作可能である。
【００１７】
特定の実施形態では、前記処理回路は、ＵＣＩを送信するための構成情報を受信するようにさらに動作可能である。前記構成情報は、ＵＣＩを送信するために予約する時間／周波数リソースの前記サブセット、ＵＣＩペイロードサイズ、およびＵＣＩタイプの少なくとも１つを含む。前記処理回路は、ＲＲＣシグナリングとレイヤ１シグナリングとの少なくとも１つを受信することにより、前記構成情報を受信するように動作可能である。
【００１８】
特定の実施形態では、前記処理回路は、前記グラントフリーアップリンクチャネルがＵＣＩのために予約された時間／周波数リソースのサブセットを含むことを示す第１のＤＭＲＳを送信し、前記グラントフリーアップリンクチャネルがＵＣＩのために予約された時間／周波数リソースのサブセットを含まないことを示す第２のＤＭＲＳを送信することにより、グラントフリーアップリンクチャネルの時間／周波数リソースのサブセットがＵＣＩを送信するために予約されているかどうかを示すようにさらに動作可能である。いくつかの実施形態では、前記処理回路は、前記グラントフリーアップリンクチャネルがＵＣＩのために予約された時間／周波数リソースのサブセットを含むことを示す第１のリソースプールを選択し、前記グラントフリーアップリンクチャネルがＵＣＩのために予約された時間／周波数リソースのサブセットを含まないことを示す第２のリソースプールを選択することにより、グラントフリーアップリンクチャネルの時間／周波数リソースのサブセットがＵＣＩを送信するために予約されているかどうかを示すようにさらに動作可能である。
【００１９】
いくつかの実施形態によれば、グラントフリーリソース上のＵＣＩを受信するためのネットワークノードにおける方法は、ＵＣＩ構成情報を無線デバイスに送信することであって、前記ＵＣＩ構成情報は、ＵＣＩを送信するために予約するグラントフリーアップリンクチャネルの時間／周波数リソースのサブセット、ＵＣＩペイロードサイズ、およびＵＣＩタイプの少なくとも１つのインジケーションを含む、前記送信することと、前記グラントフリーアップリンクチャネルを受信することと、前記受信したグラントフリーアップリンクチャネルが予約された時間／周波数リソースのサブセット内にＵＣＩを含むかどうかを判定することと、を含む。
【００２０】
前記ＵＣＩ構成情報を前記無線デバイスに送信することは、ＲＲＣシグナリングを送信することとレイヤ１シグナリングを送信することとの少なくとも１つを含み得る。
【００２１】
特定の実施形態では、前記受信したグラントフリーアップリンクチャネルが前記予約された時間／周波数リソースのサブセット内にＵＣＩを含むかどうかを判定することは、受信されたＤＭＲＳが、前記グラントフリーアップリンクチャネルがＵＣＩのために予約された時間／周波数リソースのサブセットを含むことを示す第１のタイプであるか、前記グラントフリーアップリンクチャネルがＵＣＩのために予約された時間／周波数リソースのサブセットを含まないことを示す第２のタイプであるか、を判定することを含む。いくつかの実施形態では、前記受信したグラントフリーアップリンクチャネルが前記予約された時間／周波数リソースのサブセット内にＵＣＩ（またはユーザデータ）を含むかどうかを判定することは、前記予約された時間／周波数リソースのサブセットを盲目的に復号することを含む。いくつかの実施形態では、前記受信したグラントフリーアップリンクチャネルが前記予約された時間／周波数リソースのサブセット内にＵＣＩを含むかどうかを判定することは、前記予約された時間／周波数リソースのサブセットが、第１のリソースプールに属するか、第２のリソースプールに属するか、を判定することを含む。
【００２２】
いくつかの実施形態によれば、ネットワークノードは、グラントフリーリソース上のＵＣＩを受信するよう動作可能である。前記ネットワークノードは、ＵＣＩ構成情報を無線デバイスに送信するように動作可能な処理回路を含む。前記ＵＣＩ構成情報は、ＵＣＩを送信するために予約するグラントフリーアップリンクチャネルの時間／周波数リソースのサブセット、ＵＣＩペイロードサイズ、およびＵＣＩタイプの少なくとも１つのインジケーションを含む。前記処理回路は、前記グラントフリーアップリンクチャネルを受信し、前記受信したグラントフリーアップリンクチャネルが予約された時間／周波数リソースのサブセット内にＵＣＩを含むかどうかを判定する、ようにさらに動作可能である。
【００２３】
前記処理回路は、ＲＲＣシグナリングとレイヤ１シグナリングとの少なくとも１つを使用して、前記ＵＣＩ構成情報を前記無線デバイスに送信するように動作可能であり得る。
【００２４】
特定の実施形態では、前記処理回路は、受信されたＤＭＲＳが、前記グラントフリーアップリンクチャネルがＵＣＩのために予約された時間／周波数リソースのサブセットを含むことを示す第１のタイプであるか、前記グラントフリーアップリンクチャネルがＵＣＩのために予約された時間／周波数リソースのサブセットを含まないことを示す第２のタイプであるか、を判定することにより、前記受信したグラントフリーアップリンクチャネルが前記予約された時間／周波数リソースのサブセット内にＵＣＩを含むかどうかを判定するように動作可能である。いくつかの実施形態では、前記処理回路は、前記予約された時間／周波数リソースのサブセットを盲目的に復号することにより、前記受信したグラントフリーアップリンクチャネルが前記予約された時間／周波数リソースのサブセット内にＵＣＩを含むかどうかを判定するように動作可能である。いくつかの実施形態では、前記処理回路は、前記予約された時間／周波数リソースのサブセットが、第１のリソースプールに属するか、第２のリソースプールに属するか、を判定することにより、前記受信したグラントフリーアップリンクチャネルが前記予約された時間／周波数リソースのサブセット内にＵＣＩを含むかどうかを判定するように動作可能である。
【００２５】
いくつかの実施形態によれば、無線デバイスは、グラントフリーリソース上でＵＣＩを送信するよう動作可能である。該無線デバイスは構成ユニットと送信ユニットとを含む。前記構成ユニットは、ＵＣＩを送信するために、グラントフリーアップリンクチャネルの時間／周波数リソースのサブセットを予約するように動作可能である。前記送信ユニットは、前記無線デバイスが前記グラントフリーアップリンクチャネルで送信するためのＵＣＩを有していると判定すると、前記予約された時間／周波数リソースのサブセット内で前記ＵＣＩをネットワークノードに送信するように動作可能である。
【００２６】
いくつかの実施形態によれば、ネットワークノードは、グラントフリーリソース上のＵＣＩを受信するよう動作可能である。該ネットワークノードは送信ユニットと受信ユニットとを含む。前記送信ユニットは、ＵＣＩ構成情報を無線デバイスに送信するように動作可能である。前記ＵＣＩ構成情報は、ＵＣＩを送信するために予約するグラントフリーアップリンクチャネルの時間／周波数リソースのサブセット、ＵＣＩペイロードサイズ、およびＵＣＩタイプの少なくとも１つのインジケーションを含む。前記受信ユニットは、前記グラントフリーアップリンクチャネルを受信し、前記受信したグラントフリーアップリンクチャネルが予約された時間／周波数リソースのサブセット内にＵＣＩを含むかどうかを判定する、ように動作可能である。
【００２７】
また、コンピュータ可読プログラムコードを格納する非一時的コンピュータ可読媒体を含むコンピュータプログラム製品も開示されており、コンピュータ可読プログラムコードは、処理回路によって実行されると、上述の無線デバイスによって実行される方法のいずれかを実行するよう動作可能である。
【００２８】
別のコンピュータプログラム製品は、コンピュータ可読プログラムコードを格納する非一時的コンピュータ可読媒体を含み、コンピュータ可読プログラムコードは、処理回路によって実行されると、上述のネットワークノードによって実行される方法のいずれかを実行するよう動作可能である。
【００２９】
特定の実施形態は、以下の技術的利点のうちの１つ以上を提供することができる。特定の実施形態は、グラントされたＰＵＳＣＨが利用できない場合に、ＰＵＳＣＨ上でのＵＣＩ送信を容易にする。
【図面の簡単な説明】
【００３０】
開示された実施形態およびそれらの特徴と利点をより完全に理解するために、添付の図面と一緒に以下の説明を参照する。
【００３１】
【図１】グラントフリー物理アップリンク共有チャネル（ＰＵＳＣＨ）上のアップリンク制御情報（ＵＣＩ）のための予約リソースを説明するブロック図である。
【図２】例示的な無線ネットワークを説明するブロック図である。
【図３】特定の実施形態に従った例示的なユーザ装置を示す図である。
【図４】特定の実施形態に従った、ユーザ装置における例示的な方法を示すフローチャートである。
【図５】特定の実施形態に従った、ネットワークノードにおける例示的な方法を示すフローチャートである。
【図６】特定の実施形態に従った例示的な無線デバイスを示す図である。
【図７】特定の実施形態に従った例示的なネットワークノードを示す図である。
【図８】特定の実施形態に従った仮想化環境の例を示す図である。
【図９】特定の実施形態に従った、中間ネットワークを介してホストコンピュータに接続された例示的な電気通信ネットワークを示す図である。
【図１０】特定の実施形態に従った、部分的に無線接続を介して基地局を介してユーザ装置と通信する例示的なホストコンピュータを示す図である。
【図１１】特定の実施形態に従った、実装された方法を示すフローチャートである。
【図１２】特定の実施形態に従った、通信システムに実装された方法を示すフローチャートである。
【図１３】特定の実施形態に従った、通信システムに実装された別の方法を示すフローチャートである。
【図１４】特定の実施形態に従った、通信システムに実装された別の方法を示すフローチャートである。
【発明を実施するための形態】
【００３２】
上述したように、現在、グラントフリーリソースを使用する場合のアップリンク制御情報（ＵＣＩ）の伝送には、ある種の課題が存在する。例えば、グラントベースの物理アップリンク共有チャネル（ＰＵＳＣＨ）上でのＵＣＩの送信では、ＵＣＩのためのリソースは、グラントベースの物理アップリンク共有チャネル（ＰＵＳＣＨ）上にｇＮＢによって設定される。しかし、グラントフリーリソース上でＵＣＩを送信するためのメカニズムは定義されていない。
【００３３】
特定の実施形態は、これらおよび／または他の課題に対する解決策を提供する。例えば、特定の実施形態は、ＵＣＩを送信するためのグラントフリーリソースの一部の構成を含む。いくつかの実施形態では、ユーザ装置（ＵＥ）は、常にグラントフリーＰＵＳＣＨ内のＵＣＩリソースを予約する。いくつかの実施形態では、ＵＥは、ＵＥが送信するＵＣＩを有する場合、グラントフリーＰＵＳＣＨ内のＵＣＩリソースを予約する。一般に、特定の実施形態では、ＵＣＩの送信のためのグラントフリーリソースの一部を構成することを含み、リソースは、常にＵＣＩ送信のために予約されているか、またはＵＥがＰＵＳＣＨ上で送信するＵＣＩを持っている場合にのみ予約されているかのいずれかである。
【００３４】
いくつかの実施形態は、添付の図面を参照してより完全に説明される。他の実施形態は、しかしながら、本明細書に開示された主題の範囲内に含まれ、開示された主題は、本明細書に記載された実施形態のみに限定されるものとして解釈されるべきではなく、むしろ、これらの実施形態は、当業者に主題の範囲を伝えるために例示の形で提供される。
【００３５】
いくつかの実施形態によれば、アップリンクのグラントフリーリソースの一部は、ＵＣＩの送信のために予約される。例は、図１に示されている。
【００３６】
図１は、グラントフリーＰＵＳＣＨ上のＵＣＩのために予約されたリソースを説明するブロック図である。無線デバイスは、アップリンクの時間および周波数リソース３を使用してアップリンク送信を実行することができる。時間および周波数リソース３のサブセットは、グラントフリーＰＵＳＣＨリソース５として予約されてもよい。グラントフリーＰＵＳＣＨリソース５のサブセットは、ＵＣＩリソース７として予約されてもよい。
【００３７】
送信するアップリンク制御データをＵＥが有する場合、ＵＥは、予約されたＵＣＩリソース７を送信するために使用してもよく、グラントフリーＰＵＳＣＨ５をレートマッチまたはパンクさせてもよい。そうでない場合、ＵＥがアップリンク制御データを有していない場合、ＵＥは、グラントフリーＰＵＳＣＨのための領域を使用するか、予約されたリソースを使用しないかのいずれかであってもよい。
【００３８】
特定の実施形態は、以下の情報の一部または全部の表示または構成を含む。特定の実施形態は、ＵＣＩのために使用される時間／周波数リソースのインジケーションまたは構成を含む。ＵＣＩリソースは、半静的ＲＲＣ構成を使用して構成されてもよい。これは、例えば、アップリンクグラント無しのタイプ１伝送において有用であり得る。いくつかの実施形態では、ＵＣＩリソースは、レイヤ１シグナリングによって示される。例として、これらの実施形態は、アップリンクグラント無しのタイプ２伝送において有用であり得る。
【００３９】
ＵＥがリソースを確保しているか否かは、グラントフリー送信のための特定の時間／周波数リソースを使用してｇＮＢに示されてもよい。また、修正された復調参照信号（ＤＭＲＳ）シーケンスを使用して示されてもよい。ＤＭＲＳシーケンスは、例えば、異なるサイクリックシフトを使用するか、または別の直交カバーコード（ＯＣＣ）を適用することによって修正されてもよい。あるＤＭＲＳシーケンスは、予約されたリソースがないことを示し、別のＤＭＲＳシーケンスは、送信されたグラントフリーリソース内に予約されたリソースのセットがあることを示す。
【００４０】
いくつかの実施形態では、ｇＮＢは、（巡回冗長検査（ＣＲＣ）があると仮定して）ＵＣＩ部分を盲目的（blindly）に復号する。ｇＮＢがＵＣＩを正常に復号するかどうかに応じて、ｇＮＢは、リソースがＵＣＩのために予約されているかどうかを決定する（したがって、ＰＵＳＣＨデータのためのレートマッチング／パンクチャリングスキーム）。いくつかの実施形態では、ｇＮＢは、予約されたリソースを含む／含まないデータを盲目的に復号しようとしてもよい。
【００４１】
特定の実施形態では、ＵＥがリソースプールから選択するリソースによってＵＣＩの有無を示してもよい。例えば、プールＡから選択されたリソースは、ＵＣＩが存在することを示してもよく、プールＢから選択されたリソースは、ＵＣＩが存在しないことを示す。
【００４２】
特定の実施形態では、ＵＣＩペイロードのインジケーションまたは構成が含まれる。例えば、構成／インジケーションは、ＵＣＩペイロードのサイズ、例えば、ＡＣＫ／ＮＡＣＫビットの数などを含んでもよい。ＵＣＩ情報は、ＲＲＣ構成によって構成されてもよいし、レイヤ１シグナリングによって示されてもよい。
【００４３】
特定の実施形態では、ＵＣＩタイプのインジケーションまたは構成が含まれる。ＵＣＩタイプに関する情報（すなわちＡ／Ｎ、ＣＳＩなど）もまた、ＲＲＣ構成によって構成され得るか、またはレイヤ１シグナリングによって示され得る。
【００４４】
図２は、特定の実施形態に従った例示的な無線ネットワークを示す。無線ネットワークは、任意のタイプの通信、電気通信、データ、セルラー、および／または無線ネットワーク、または他の類似のタイプのシステムとのインターフェースを構成してもよい。いくつかの実施形態では、無線ネットワークは、特定の規格または他のタイプの事前に定義された規則または手順に従って動作するように構成されてもよい。したがって、無線ネットワークの特定の実施形態は、移動通信のグローバルシステム（ＧＳＭ（登録商標））、ユニバーサル移動通信システム（ＵＭＴＳ）、ロングタームエボリューション（ＬＴＥ）、および／または他の適切な２Ｇ、３Ｇ、４Ｇ、または５Ｇ規格などの通信規格；ＩＥＥＥ８０２．１１規格などの無線ローカルエリアネットワーク（ＷＬＡＮ）規格；および／またはマイクロ波アクセスのワールドワイドインターオペラビリティ（ＷｉＭａｘ）、Ｂｌｕｅｔｏｏｔｈ（登録商標）、Ｚ−Ｗａｖｅ、および／またはＺｉｇＢｅｅ規格などの他の適切な無線通信規格を実装してもよい。
【００４５】
ネットワーク１０６は、デバイス間の通信を可能にするために、１つ以上のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および他のネットワークから構成されてもよい。
【００４６】
ネットワークノード１６０およびＷＤ１１０は、以下でより詳細に説明する様々な構成要素を構成する。これらの構成要素は、無線ネットワークにおける無線接続の提供など、ネットワークノードおよび／または無線デバイスの機能を提供するために協働する。異なる実施形態では、無線ネットワークは、有線または無線ネットワーク、ネットワークノード、基地局、コントローラ、無線デバイス、中継局、および／または有線接続または無線接続を介しているか否かにかかわらず、データおよび／または信号の通信を容易にするか、またはそれに参加する任意の数の他のコンポーネントまたはシステムで構成されていてもよい。
【００４７】
本明細書で使用されるように、ネットワークノードは、無線デバイスおよび／または無線デバイスへの無線アクセスを可能にし、および／または無線ネットワーク内の他の機能（例えば、管理）を実行するために、無線デバイスおよび／または無線ネットワーク内の他のネットワークノードまたは装置と直接または間接的に通信することが可能であり、構成され、配置され、および／または動作可能な装置を指す。ネットワークノードの例としては、アクセスポイント（ＡＰ）（例えば、無線アクセスポイント）、基地局（ＢＳ）（例えば、無線基地局、ノードＢ、進化型ノードＢ（ｅＮＢ）、およびＮＲノードＢ（ｇＮＢ））が挙げられるが、これらに限定されない。基地局は、それらが提供するカバレッジの量（または、別の言い方をすれば、それらの送信電力レベル）に基づいて分類されてもよく、その後、フェムト基地局、ピコ基地局、マイクロ基地局、またはマクロ基地局と呼ばれてもよい。基地局は、リレーノードまたはリレーを制御するリレードナーノードであってもよい。ネットワークノードはまた、集中デジタルユニットおよび／またはリモート無線ユニット（ＲＲＵ）（リモート無線ヘッド（ＲＲＨ）と呼ばれることもある）などの分散型無線基地局の１つまたは複数（またはすべて）の部分を含んでもよい。そのようなリモート無線ユニットは、アンテナ一体型無線機としてアンテナと一体化されていてもよいし、一体化されていなくてもよい。分散型無線基地局の一部は、分散型アンテナシステム（ＤＡＳ）のノードと呼ばれることもある。さらに別の例として、ネットワークノードは、ＭＳＲ＿ＢＳなどのマルチスタンダード無線（ＭＳＲ）機器、無線ネットワークコントローラ（ＲＮＣ）または基地局コントローラ（ＢＳＣ）などのネットワークコントローラ、基地送受信局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するように、仮想ネットワークノードであってもよい。しかし、より一般的には、ネットワークノードは、無線ネットワークへのアクセスを可能にし、および／または無線デバイスに無線ネットワークへのアクセスを提供するか、または無線ネットワークにアクセスした無線デバイスに何らかのサービスを提供することができる、構成され、配置され、および／または動作可能な任意の適切なデバイス（またはデバイスのグループ）を表してもよい。
【００４８】
図２において、ネットワークノード１６０は、処理回路１７０、デバイス可読媒体１８０、インターフェース１９０、補助装置１８４、電源１８６、電源回路１８７、およびアンテナ１６２を含む。図２の例示的な無線ネットワークに図示されたネットワークノード１６０は、図示されたハードウェア構成要素の組み合わせを含むデバイスを表してもよいが、他の実施形態では、構成要素の異なる組み合わせを有するネットワークノードを構成してもよい。ネットワークノードは、本明細書に開示されたタスク、特徴、機能、および方法を実行するために必要なハードウェアおよび／またはソフトウェアの任意の適切な組み合わせを構成することが理解されるであろう。さらに、ネットワークノード１６０の構成要素は、より大きなボックス内に配置された単一のボックスとして、または複数のボックス内に入れ子状に配置されたボックスとして描かれているが、実際には、ネットワークノードは、図示された単一の構成要素を構成する複数の異なる物理的構成要素を構成してもよい（例えば、デバイス可読媒体１８０は、複数の別個のハードドライブおよび複数のＲＡＭモジュールを構成してもよい）。
【００４９】
同様に、ネットワークノード１６０は、複数の物理的に分離されたコンポーネント（例えば、ＮｏｄｅＢコンポーネントとＲＮＣコンポーネント、またはＢＴＳコンポーネントとＢＳＣコンポーネントなど）で構成されてもよく、これらは、それぞれ、それぞれがそれぞれのコンポーネントを有していてもよい。ネットワークノード１６０が複数の別個のコンポーネント（例えば、ＢＴＳコンポーネントおよびＢＳＣコンポーネント）を構成する特定のシナリオでは、別個のコンポーネントのうちの１つまたは複数が、複数のネットワークノード間で共有されてもよい。例えば、単一のＲＮＣが複数のＮｏｄｅＢを制御してもよい。そのようなシナリオでは、それぞれのユニークなＮｏｄｅＢとＲＮＣのペアは、いくつかの実施形態では、単一の別個のネットワークノードとみなされてもよい。いくつかの実施形態では、ネットワークノード１６０は、複数の無線アクセス技術（ＲＡＴ）をサポートするように構成されてもよい。そのような実施形態では、一部の構成要素は重複していてもよく（例えば、異なるＲＡＴのための別個のデバイス可読媒体１８０）、一部の構成要素は再利用されてもよい（例えば、同じアンテナ１６２がＲＡＴによって共有されてもよい）。ネットワークノード１６０はまた、ネットワークノード１６０に統合された異なる無線技術、例えば、ＧＳＭ、ＷＣＤＭＡ、ＬＴＥ、ＮＲ、ＷｉＦｉ、またはＢｌｕｅｔｏｏｔｈなどの無線技術のための様々な図示された構成要素の複数のセットを含んでもよい。これらの無線技術は、ネットワークノード１６０内の同一または異なるチップまたはチップのセットおよび他のコンポーネントに統合されていてもよい。
【００５０】
処理回路１７０は、ネットワークノードによって提供されるものとして本明細書に記載されている任意の決定、計算、または類似の動作（例えば、特定の取得操作）を実行するように構成されている。処理回路１７０によって実行される動作は、例えば、得られた情報を他の情報に変換すること、得られた情報または変換された情報をネットワークノード内に格納された情報と比較すること、および／または得られた情報または変換された情報に基づいて１つ以上の動作を実行することによって処理回路１７０によって得られた情報を処理すること、および当該処理の結果として決定を行うことを含んでもよい。
【００５１】
処理回路１７０は、マイクロプロセッサ、コントローラ、マイクロコントローラ、中央処理装置、デジタル信号プロセッサ、特定用途向け集積回路、フィールドプログラマブルゲートアレイ、または他の適切なコンピューティングデバイス、リソース、またはハードウェア、ソフトウェア、および／または符号化された論理の組み合わせのうちの１つ以上の組み合わせで構成されてもよく、単独で、または他のネットワークノード１６０の構成要素、例えばデバイス可読媒体１８０のようなネットワークノード１６０の機能を提供するために動作可能なものである。例えば、処理回路１７０は、デバイス可読媒体１８０または処理回路１７０内のメモリに格納された命令を実行してもよい。そのような機能性は、本明細書で議論される様々な無線特徴、機能、または利点のいずれかを提供することを含んでもよい。いくつかの実施形態では、処理回路１７０は、システムオンチップ（ＳＯＣ）を含んでもよい。
【００５２】
いくつかの実施形態では、処理回路１７０は、無線周波数（ＲＦ）送受信機回路１７２およびベースバンド処理回路１７４のうちの１つまたは複数を含んでもよい。いくつかの実施形態では、無線周波数（ＲＦ）送受信機回路１７２およびベースバンド処理回路１７４は、無線ユニットおよびデジタルユニットなどの別個のチップ（またはチップのセット）、基板、またはユニット上にあってもよい。代替の実施形態では、ＲＦ送受信機回路１７２およびベースバンド処理回路１７４の一部または全部が、同じチップまたはチップのセット、ボード、またはユニット上にあってもよい。
【００５３】
特定の実施形態では、ネットワークノード、基地局、ｅＮＢ、または他のそのようなネットワークデバイスによって提供されるものとして本明細書に記載されている機能の一部または全部は、処理回路１７０が、デバイス可読媒体１８０または処理回路１７０内のメモリに格納された命令を実行することによって実行されてもよい。代替的な実施形態では、機能の一部または全部は、ハードワイヤード方式などの別個のまたは離散的なデバイス可読媒体に格納された命令を実行することなく、処理回路１７０によって提供されてもよい。それらの実施形態のいずれかにおいて、デバイス可読記憶媒体に格納された命令を実行するか否かにかかわらず、処理回路１７０は、記載された機能性を実行するように構成され得る。このような機能性によって提供される利点は、処理回路１７０単独またはネットワークノード１６０の他の構成要素に限定されるものではなく、ネットワークノード１６０全体、および／またはエンドユーザおよび無線ネットワーク一般によって享受される。
【００５４】
デバイス可読媒体１８０は、永続記憶装置、ソリッドステートメモリ、リモートマウントメモリ、磁気媒体、光学媒体、ランダムアクセスメモリ（ＲＡＭ）、リードオンリーメモリ（ＲＯＭ）、大容量記憶媒体（例えば、ハードディスク）を含むがこれらに限定されない、揮発性または不揮発性のコンピュータ可読メモリの任意の形態を構成してもよい。リムーバブル記憶媒体（例えば、フラッシュドライブ、コンパクトディスク（ＣＤ）またはデジタルビデオディスク（ＤＶＤ））、および／または処理回路１７０によって使用され得る情報、データ、および／または命令を格納する他の任意の揮発性または不揮発性の、非一時的デバイス可読媒体および／またはコンピュータ実行可能な記憶装置。デバイス可読媒体１８０は、コンピュータプログラム、ソフトウェア、ロジック、ルール、コード、テーブルなどの１つ以上を含むアプリケーション、および／または処理回路１７０によって実行され、ネットワークノード１６０によって利用され得る他の命令を含む、任意の適切な命令、データまたは情報を格納してもよい。デバイス可読媒体１８０は、処理回路装置１７０によって行われた任意の計算、および／またはインターフェース１９０を介して受信された任意のデータを記憶するために使用されてもよい。いくつかの実施形態では、処理回路装置１７０およびデバイス可読媒体１８０は、統合されていると考えられてもよい。
【００５５】
インターフェース１９０は、ネットワークノード１６０、ネットワーク１０６、および／またはＷＤ１１０間のシグナリングおよび／またはデータの有線または無線通信において使用される。図示されているように、インターフェース１９０は、例えば有線接続を介してネットワーク１０６との間でデータを送受信するためのポート（複数可）／端末（複数可）１９４を構成する。インターフェース１９０はまた、アンテナ１６２に結合されていてもよい、または特定の実施形態ではアンテナ１６２の一部であってもよい無線フロントエンド回路１９２を含む。無線フロントエンド回路１９２は、フィルタ１９８および増幅器１９６からなる。無線フロントエンド回路１９２は、アンテナ１６２および処理回路１７０に接続されてもよい。無線フロントエンド回路１９２は、アンテナ１６２と処理回路１７０との間で通信される信号を条件付けするように構成されてもよい。無線フロントエンド回路１９２は、無線接続を介して他のネットワークノードまたはＷＤに送信されるべきデジタルデータを受信してもよい。無線フロントエンド回路１９２は、フィルタ１９８および／または増幅器１９６の組み合わせを使用して、デジタルデータを適切なチャネルおよび帯域幅パラメータを有する無線信号に変換してもよい。次いで、無線信号は、アンテナ１６２を介して送信されてもよい。同様に、データを受信する場合、アンテナ１６２は、無線フロントエンド回路１９２によってデジタルデータに変換される無線信号を収集してもよい。デジタルデータは、処理回路１７０に渡されてもよい。他の実施形態では、インターフェースは、異なる構成要素および／または構成要素の異なる組み合わせで構成されてもよい。
【００５６】
特定の代替的な実施形態では、ネットワークノード１６０は、別個の無線フロントエンド回路１９２を含まず、代わりに、処理回路１７０は、無線フロントエンド回路を構成してもよく、別個の無線フロントエンド回路１９２なしにアンテナ１６２に接続されてもよい。同様に、いくつかの実施形態では、ＲＦ送受信機回路１７２の全部または一部は、インターフェース１９０の一部とみなされてもよい。また他の実施形態では、インターフェース１９０は、無線ユニット（図示せず）の一部として、１つまたは複数のポートまたは端子１９４、無線フロントエンド回路１９２、およびＲＦ送受信機回路１７２を含んでもよく、インターフェース１９０は、デジタルユニット（図示せず）の一部であるベースバンド処理回路１７４と通信してもよい。
【００５７】
アンテナ１６２は、無線信号を送信および／または受信するように構成された１つ以上のアンテナ、またはアンテナアレイを含んでもよい。アンテナ１６２は、無線フロントエンド回路１９０に結合されてもよく、データおよび／または信号を無線で送受信することができる任意のタイプのアンテナであってもよい。いくつかの実施形態では、アンテナ１６２は、例えば２ＧＨｚと６６ＧＨｚの間で無線信号を送受信するように動作可能な１つ以上の無指向性アンテナ、セクタアンテナ、またはパネルアンテナを含んでもよい。無指向性アンテナは、任意の方向の無線信号を送受信するために使用されてもよく、セクターアンテナは、特定の領域内のデバイスからの無線信号を送受信するために使用されてもよく、パネルアンテナは、無線信号を比較的直線的に送受信するために使用される視線アンテナであってもよい。いくつかの実施形態では、複数のアンテナの使用は、ＭＩＭＯと呼ばれてもよい。特定の実施形態では、アンテナ１６２は、ネットワークノード１６０から分離されていてもよく、インターフェースまたはポートを介してネットワークノード１６０に接続可能であってもよい。
【００５８】
アンテナ１６２、インターフェース１９０、および／または処理回路１７０は、ネットワークノードによって実行されるものとして本明細書に記載される任意の受信操作および／または特定の取得操作を実行するように構成されてもよい。任意の情報、データおよび／または信号は、無線デバイス、別のネットワークノード、および／または任意の他のネットワーク機器から受信されてもよい。同様に、アンテナ１６２、インターフェース１９０、および／または処理回路１７０は、ネットワークノードによって実行されるものとして本明細書に記載されている任意の送信操作を実行するように構成されてもよい。任意の情報、データおよび／または信号は、無線デバイス、別のネットワークノードおよび／または任意の他のネットワーク機器に送信されてもよい。
【００５９】
電源回路１８７は、電源管理回路を構成してもよく、またはそれに結合されてもよく、ネットワークノード１６０の構成要素に、本明細書に記載された機能を実行するための電力を供給するように構成されている。電源回路１８７は、電源１８６から電力を受け取ってもよい。電源１８６および／または電源回路１８７は、それぞれの構成要素に適した形態で（例えば、それぞれの構成要素に必要な電圧および電流レベルで）ネットワークノード１６０の様々な構成要素に電力を供給するように構成されてもよい。電源１８６は、電源回路１８７および／またはネットワークノード１６０に含まれていてもよいし、外部であってもよい。例えば、ネットワークノード１６０は、入力回路または電気ケーブルのようなインターフェースを介して外部電源（例えば、コンセント）に接続可能であってもよく、それにより、外部電源が電源回路１８７に電力を供給する。さらなる例として、電源１８６は、電源回路１８７に接続されているか、または電源回路１８７に統合されているバッテリまたはバッテリパックの形態の電源を構成してもよい。バッテリは、外部電源が故障した場合にバックアップ電力を提供してもよい。他のタイプの電源、例えば光起電力装置も使用されてもよい。
【００６０】
ネットワークノード１６０の代替的な実施形態は、本明細書に記載された機能のいずれかおよび／または本明細書に記載された主題をサポートするために必要な機能のいずれかを含む、ネットワークノードの機能の特定の側面を提供することに責任を負うことができる、図２に示されたものを超えた追加の構成要素を含んでもよい。例えば、ネットワークノード１６０は、ネットワークノード１６０への情報の入力を可能にし、ネットワークノード１６０からの情報の出力を可能にするためのユーザインターフェース装置を含んでもよい。これにより、ユーザがネットワークノード１６０の診断、保守、修理、および他の管理機能を実行することができるようにしてもよい。
【００６１】
本明細書で使用されるように、無線デバイス（ＷＤ）は、ネットワークノードおよび／または他の無線デバイスと無線で通信することが可能で、構成され、配置され、および／または動作可能なデバイスを指す。特に断りのない限り、用語ＷＤは、本明細書では、ユーザ装置（ＵＥ）と互換的に使用されてもよい。無線通信は、電磁波、電波、赤外線、および／または空気を介して情報を伝達するのに適した他のタイプの信号を使用して無線信号を送信および／または受信することを含み得る。いくつかの実施形態では、ＷＤは、人間の直接的な相互作用なしに情報を送信および／または受信するように構成されてもよい。例えば、ＷＤは、内部イベントまたは外部イベントによってトリガされたとき、またはネットワークからの要求に応答して、所定のスケジュールでネットワークに情報を送信するように構成されてもよい。ＷＤの例としては、スマートフォン、携帯電話、セル電話、ボイスオーバーＩＰ（ＶｏＩＰ）電話、無線ローカルループ電話、デスクトップコンピュータ、パーソナルデジタルアシスタント（ＰＤＡ）、無線カメラ、ゲーム機または装置、音楽ストレージ装置、再生装置、ウェアラブル端末装置、無線エンドポイント、モバイルステーション、タブレット、ラップトップ、ラップトップ内蔵装置（ＬＥＥ）、ラップトップ搭載装置（ＬＭＥ）、スマートデバイス、無線カスタマープレミス装置（ＣＰＥ）などが挙げられるが、これらに限定されるものではない。車載型無線端末装置など。ＷＤは、例えば、サイドリンク通信、車両対車両（Ｖ２Ｖ）、車両対インフラストラクチャ（Ｖ２Ｉ）、車両対任意物（Ｖ２Ｘ）のための３ＧＰＰ規格を実装することによって、デバイス間通信（Ｄ２Ｄ）をサポートしてもよく、この場合、Ｄ２Ｄ通信装置と呼ばれてもよい。さらに別の具体例として、モノのインターネット（ＩｏＴ）シナリオにおいて、ＷＤは、監視および／または測定を実行し、そのような監視および／または測定の結果を別のＷＤおよび／またはネットワークノードに送信する機械または他の装置を表してもよい。この場合、ＷＤは、３ＧＰＰの文脈ではＭＴＣデバイスと呼ばれるマシンツーマシン（Ｍ２Ｍ）デバイスであってもよい。一例として、ＷＤは、３ＧＰＰ狭帯域インターネットオブシングス（ＮＢ−ＩｏＴ）標準を実装するＵＥであってもよい。このような機械または装置の例としては、センサー、電力計などの計量装置、産業機械、または家庭用または個人用の電化製品（冷蔵庫、テレビなど）個人用ウェアラブル（腕時計、フィットネストラッカーなど）がある。他の態様では、ＷＤは、その動作状態またはその動作に関連する他の機能を監視および／または報告することができる車両または他の装置を表してもよい。上述のようなＷＤは、無線接続のエンドポイントを表してもよく、この場合、装置は無線端末と呼ばれてもよい。さらに、上述したようなＷＤは、移動可能であってもよく、その場合には、移動装置または移動端末と呼ばれてもよい。
【００６２】
図示されているように、無線デバイス１１０は、アンテナ１１１、インターフェース１１４、処理回路１２０、デバイス可読媒体１３０、ユーザインターフェース装置１３２、補助装置１３４、電源１３６、および電源回路１３７を含む。ＷＤ１１０は、ＷＤ１１０によってサポートされる異なる無線技術、例えば、いくつかを挙げるだけで、例えば、ＧＳＭ、ＷＣＤＭＡ、ＬＴＥ、ＮＲ、ＷｉＦｉ、ＷｉＭＡＸ、またはＢｌｕｅｔｏｏｏｔｈの無線技術のような、図示された構成要素の１つまたは複数のセットを含んでいてもよい。これらの無線技術は、ＷＤ１１０内の他の構成要素と同じまたは異なるチップまたはチップのセットに統合されていてもよい。
【００６３】
アンテナ１１１は、無線信号を送信および／または受信するように構成された１つ以上のアンテナまたはアンテナアレイを含んでもよく、インターフェース１１４に接続される。特定の代替的な実施形態では、アンテナ１１１は、ＷＤ１１０から分離され、インターフェースまたはポートを介してＷＤ１１０に接続可能であってもよい。アンテナ１１１、インターフェース１１４、および／または処理回路１２０は、ＷＤによって実行されるものとして本明細書に記載されている任意の受信または送信操作を実行するように構成されてもよい。任意の情報、データおよび／または信号は、ネットワークノードおよび／または別のＷＤから受信されてもよい。いくつかの実施形態では、無線フロントエンド回路および／またはアンテナ１１４は、インターフェースと見なされてもよい。
【００６４】
図示されているように、インターフェース１１４は、無線フロントエンド回路１１２とアンテナ１１１とからなる。無線フロントエンド回路１１２は、１つ以上のフィルタ１１８および増幅器１１６を構成する。無線フロントエンド回路１１４は、アンテナ１１１および処理回路１２０に接続され、アンテナ１１１と処理回路１２０との間で通信される信号を条件付けるように構成されている。無線フロントエンド回路１１２は、アンテナ１１１に結合されていてもよいし、アンテナ１１１の一部であってもよい。いくつかの実施形態では、ＷＤ１１０は、別個の無線フロントエンド回路１１２を含まず、むしろ、処理回路１２０は、無線フロントエンド回路を構成してもよく、アンテナ１１１に接続されてもよい。同様に、いくつかの実施形態では、ＲＦ送受信機回路１２２の一部または全部が、インターフェース１１４の一部とみなされてもよい。無線フロントエンド回路１１２は、無線接続を介して他のネットワークノードまたはＷＤに送信されるべきデジタルデータを受信してもよい。無線フロントエンド回路１１２は、フィルタ１１８および／または増幅器１１６の組み合わせを使用して、デジタルデータを適切なチャネルおよび帯域幅パラメータを有する無線信号に変換してもよい。次いで、無線信号は、アンテナ１１１を介して送信されてもよい。同様に、データを受信する場合、アンテナ１１１は、無線フロントエンド回路１１２によってデジタルデータに変換される無線信号を収集してもよい。デジタルデータは、処理回路１２０に渡されてもよい。他の実施形態では、インターフェースは、異なる構成要素および／または構成要素の異なる組み合わせで構成されてもよい。
【００６５】
処理回路１２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、ソフトウェア、および／または符号化された論理の組み合わせのうちの１つ以上の組み合わせで構成されてもよく、単独で、または他のＷＤ１１０の構成要素、例えばデバイス読み取り可能媒体１３０のようなＷＤ１１０の機能性を提供するために動作可能なものであってもよい。そのような機能性は、本明細書で議論される様々な無線機能または利点のいずれかを提供することを含んでもよい。例えば、処理回路１２０は、本明細書に開示された機能を提供するために、デバイス可読媒体１３０または処理回路１２０内のメモリに格納された命令を実行してもよい。
【００６６】
図示されているように、処理回路１２０は、ＲＦ送受信機回路１２２、ベースバンド処理回路１２４、およびアプリケーション処理回路１２６のうちの１つまたは複数を含む。他の実施形態では、処理回路は、異なるコンポーネントおよび／またはコンポーネントの異なる組み合わせで構成されてもよい。特定の実施形態では、ＷＤ１１０の処理回路１２０は、ＳＯＣを構成してもよい。いくつかの実施形態では、ＲＦ送受信機回路１２２、ベースバンド処理回路１２４、およびアプリケーション処理回路１２６は、別個のチップまたはチップのセット上にあってもよい。代替的な実施形態では、ベースバンド処理回路１２４およびアプリケーション処理回路１２６の一部または全部が、１つのチップまたはチップセットに結合されてもよく、ＲＦ送受信機回路１２２は、別個のチップまたはチップセット上にあってもよい。さらに別の代替的な実施形態では、ＲＦ送受信機回路１２２およびベースバンド処理回路１２４の一部または全部が同じチップまたはチップセット上にあってもよく、アプリケーション処理回路１２６が別個のチップまたはチップセット上にあってもよい。さらに他の代替的な実施形態では、ＲＦ送受信機回路１２２、ベースバンド処理回路１２４、およびアプリケーション処理回路１２６の一部または全部が、同じチップまたはチップセットに結合されてもよい。いくつかの実施形態では、ＲＦ送受信機回路１２２は、インターフェース１１４の一部であってもよい。ＲＦ送受信機回路１２２は、処理回路１２０のためにＲＦ信号をコンディショニングしてもよい。
【００６７】
特定の実施形態では、ＷＤによって実行されると本明細書に記載されている機能の一部または全部は、処理回路１２０がデバイス可読媒体１３０に格納された命令を実行することによって提供されてもよく、これは、特定の実施形態では、コンピュータ可読記憶媒体であってもよい。代替の実施形態では、機能の一部または全部は、ハードワイヤード方式などの別個のまたは個別のデバイス可読記憶媒体に格納された命令を実行することなく、処理回路１２０によって提供されてもよい。それらの実施形態のいずれかにおいて、デバイス可読記憶媒体に格納された命令を実行するか否かにかかわらず、処理回路１２０は、記載された機能を実行するように構成され得る。このような機能性によって提供される利点は、処理回路１２０単独またはＷＤ１１０の他の構成要素に限定されるものではなく、ＷＤ１１０によって、および／またはエンドユーザによって、および一般的に無線ネットワークによって享受される。
【００６８】
処理回路１２０は、ＷＤによって実行されるものとして本明細書に記載されている任意の決定、計算、または類似の動作（例えば、特定の取得動作）を実行するように構成されていてもよい。処理回路１２０によって実行されるこれらの動作は、例えば、得られた情報を他の情報に変換すること、得られた情報または変換された情報をＷＤ１１０によって記憶された情報と比較すること、および／または得られた情報または変換された情報に基づいて１つ以上の動作を実行することによって、処理回路１２０によって得られた情報を処理すること、および当該処理の結果として決定を行うことを含んでもよい。
【００６９】
デバイス可読媒体１３０は、コンピュータプログラム、ソフトウェア、ロジック、ルール、コード、テーブルなどの１つ以上を含むアプリケーション、および／または処理回路１２０によって実行されることが可能な他の命令を記憶するために操作可能であってもよい。デバイス可読媒体１３０は、コンピュータメモリ（例えば、ランダムアクセスメモリ（ＲＡＭ）またはリードオンリーメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および／または他の任意の揮発性または不揮発性、非一過性のデバイス可読および／またはコンピュータ実行可能なメモリデバイスを含み、処理回路１２０によって使用され得る情報、データ、および／または命令を記憶することができる。いくつかの実施形態では、処理回路装置１２０とデバイス可読媒体１３０は一体化されていてもよい。
【００７０】
ユーザインターフェース装置１３２は、人間のユーザがＷＤ１１０と相互作用することを可能にする構成要素を提供してもよい。そのような相互作用は、視覚、聴覚、触覚などの多くの形態であってもよい。ユーザインターフェース装置１３２は、ユーザへの出力を生成し、ユーザがＷＤ１１０に入力を提供することを可能にするように動作可能であってもよい。インタラクションの種類は、ＷＤ１１０に設置されたユーザインターフェース装置１３２の種類に応じて変化してもよい。例えば、ＷＤ１１０がスマートフォンである場合、インタラクションはタッチスクリーンを介してもよく、ＷＤ１１０がスマートメータである場合、インタラクションは、使用量（例えば、使用されたガロン数）を提供するスクリーンを介してもよく、または可聴警報（例えば、煙が検出された場合）を提供するスピーカを介してもよい。ユーザインターフェース装置１３２は、入力インターフェース、装置および回路、ならびに出力インターフェース、装置および回路を含んでもよい。ユーザインターフェース装置１３２は、ＷＤ１１０への情報の入力を可能にするように構成され、処理回路１２０に接続され、処理回路１２０が入力された情報を処理できるようにする。ユーザインターフェース装置１３２は、例えば、マイク、近接または他のセンサ、キー／ボタン、タッチディスプレイ、１つまたは複数のカメラ、ＵＳＢポート、または他の入力回路を含むことができる。また、ユーザインターフェース装置１３２は、ＷＤ１１０からの情報の出力を可能にし、処理回路１２０がＷＤ１１０からの情報の出力を可能にするように構成されている。ユーザインターフェース装置１３２は、例えば、スピーカ、ディスプレイ、振動回路、ＵＳＢポート、ヘッドフォンインターフェース、または他の出力回路を含んでもよい。ユーザインターフェース装置１３２の１つ以上の入力インターフェース、出力インターフェース、装置、および回路を使用して、ＷＤ１１０は、エンドユーザおよび／または無線ネットワークと通信し、エンドユーザが本明細書に記載された機能の恩恵を受けることができるようにしてもよい。
【００７１】
補助装置１３４は、ＷＤによって一般的には実行されないかもしれないより特定の機能を提供するために動作可能である。これは、様々な目的のために測定を行うための特殊なセンサ、有線通信などの付加的なタイプの通信のためのインターフェースなどで構成されてもよい。補助装置１３４の構成要素の包含およびタイプは、実施形態および／またはシナリオに応じて変化してもよい。
【００７２】
電源１３６は、いくつかの実施形態では、バッテリまたはバッテリパックの形態であってもよい。他のタイプの電源、例えば、外部電源（例えば、電気コンセント）、光起電力デバイスまたはパワーセルなども使用されてもよい。ＷＤ１１０は、本明細書に記載または示された任意の機能を実行するために電源１３６からの電力を必要とするＷＤ１１０の様々な部分に、電源１３６からの電力を供給するための電源回路１３７をさらに含んでいてもよい。電源回路１３７は、特定の実施形態では、電源管理回路を構成してもよい。電源回路１３７は、追加的にまたは代替的に、外部電源から電力を受け取るように動作可能であってもよく、その場合、ＷＤ１１０は、入力回路または電力ケーブルのようなインターフェースを介して、外部電源（例えば、電気コンセント）に接続可能であってもよい。電源回路１３７はまた、特定の実施形態では、外部電源から電源１３６に電力を供給するために動作可能であってもよい。これは、例えば、電源１３６の充電のためであってもよい。電源回路１３７は、電力が供給されるＷＤ１１０の各構成要素に適した電力にするために、電源１３６からの電力に対して任意のフォーマット、変換、または他の修正を実行してもよい。
【００７３】
本明細書に記載された主題は、任意の適切なコンポーネントを使用して任意の適切なタイプのシステムで実施されてもよいが、本明細書に開示された実施形態は、図２に図示された例示的な無線ネットワークのような無線ネットワークに関連して記載されている。単純化のために、図２の無線ネットワークは、ネットワーク１０６、ネットワークノード１６０、１６０ｂ、およびＷＤ１１０、１１０ｂ、１１０ｃのみを描写している。実際には、無線ネットワークは、無線デバイス間の通信、または無線デバイスと固定電話、サービスプロバイダ、または任意の他のネットワークノードまたはエンドデバイスなどの別の通信デバイスとの間の通信をサポートするのに適した任意の追加要素をさらに含んでもよい。図示された構成要素のうち、ネットワークノード１６０および無線デバイス（ＷＤ）１１０がさらに詳細に描かれている。無線ネットワークは、無線デバイスの無線ネットワークによって提供されるサービスへのアクセスおよび／または無線ネットワークを介したサービスの使用を容易にするために、通信および他のタイプのサービスを１つ以上の無線デバイスに提供してもよい。
【００７４】
図３は、特定の実施形態によれば、例示的なユーザ装置を示す。本明細書で使用されるように、ユーザ装置またはＵＥは、必ずしも、関連する装置を所有し、および／または操作する人間のユーザの意味でのユーザを有していなくてもよい。代わりに、ＵＥは、人間のユーザへの販売、または人間のユーザによる操作を意図しているが、特定の人間のユーザと関連づけられていないか、または最初は関連づけられていないかもしれない装置（例えば、スマートスプリンクラーコントローラ）を表してもよい。あるいは、ＵＥは、エンドユーザへの販売またはエンドユーザによる操作を意図していないが、ユーザの利益のために関連付けられているかまたは操作されている可能性があるデバイス（例えば、スマート電力メータ）を表してもよい。ＵＥ２００は、ＮＢ−ＩｏＴのＵＥ、マシンタイプ通信（ＭＴＣ）ＵＥ、および／または拡張ＭＴＣ（ｅＭＴＣ）ＵＥを含む、第３世代パートナーシッププロジェクト（３ＧＰＰ）によって特定された任意のＵＥであってもよい。図３に図示されているように、ＵＥ２００は、３ＧＰＰＰのＧＳＭ、ＵＭＴＳ、ＬＴＥ、および／または５Ｇ規格などの第３世代パートナーシッププロジェクト（３ＧＰＰ）によって公布された１つ以上の通信規格に従って通信するように構成されたＷＤの一例である。前述したように、ＷＤおよびＵＥという用語は、交換可能に使用されてもよい。したがって、図２はＵＥであるが、本明細書で議論される構成要素は、ＷＤにも同様に適用可能であり、またその逆も同様である。
【００７５】
図３において、ＵＥ２００は、入出力インターフェース２０５、無線周波数（ＲＦ）インターフェース２０９、ネットワーク接続インターフェース２１１、ランダムアクセスメモリ（ＲＡＭ）２１７、読み取り専用メモリ（ＲＯＭ）２１９を含むメモリ２１５、および記憶媒体２２１等、通信サブシステム２３１、電源２３３、および／または任意の他の構成要素、またはそれらの任意の組み合わせに作動的に結合された処理回路２０１を含む。記憶媒体２２１は、オペレーティングシステム２２３、アプリケーションプログラム２２５、およびデータ２２７を含む。他の実施形態では、記憶媒体２２１は、他の類似のタイプの情報を含んでもよい。特定のＵＥは、図３に示す構成要素のすべてを利用してもよいし、構成要素のサブセットのみを利用してもよい。構成要素間の統合のレベルは、あるＵＥから別のＵＥへと変化してもよい。さらに、特定のＵＥは、複数のプロセッサ、メモリ、送受信機、送信機、受信機などのコンポーネントの複数のインスタンスを含んでもよい。
【００７６】
図３において、処理回路２０１は、コンピュータ命令およびデータを処理するように構成されてもよい。処理回路２０１は、メモリ内に機械可読コンピュータプログラムとして格納された機械命令を実行するために作動する任意のシーケンシャルステートマシン、例えば、１つ以上のハードウェア実装ステートマシン（例えば、ディスクリートロジック、ＦＰＧＡ、ＡＳＩＣなど）；適切なファームウェアとともにプログラマブルロジック；適切なソフトウェアとともにマイクロプロセッサまたはデジタルシグナルプロセッサ（ＤＳＰ）などの１つ以上の格納プログラム、汎用プロセッサ；または上記の任意の組み合わせを実装するように構成されていてもよい。例えば、処理回路２０１は、２つの中央処理装置（ＣＰＵ）を含んでもよい。データは、コンピュータによる使用に適した形態の情報であってもよい。
【００７７】
描かれた実施形態では、入力／出力インターフェース２０５は、入力デバイス、出力デバイス、または入出力デバイスに通信インターフェースを提供するように構成されてもよい。ＵＥ２００は、入出力インターフェース２０５を介して出力デバイスを使用するように構成されてもよい。出力デバイスは、入力デバイスと同じ種類のインターフェースポートを使用してもよい。例えば、ＵＳＢポートを使用して、ＵＥ２００との間で入力及び出力を行うようにしてもよい。出力デバイスは、スピーカ、サウンドカード、ビデオカード、ディスプレイ、モニタ、プリンタ、アクチュエータ、エミッタ、スマートカード、別の出力デバイス、またはそれらの任意の組み合わせであってもよい。ＵＥ２００は、ユーザがＵＥ２００に情報を取り込むことを可能にするために、入出力インターフェース２０５を介して入力デバイスを使用するように構成されてもよい。入力デバイスは、タッチセンシティブまたはプレゼンスセンシティブディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含んでもよい。プレゼンスセンシティブディスプレイは、ユーザからの入力を感知するための容量性または抵抗性のタッチセンサを含んでもよい。センサは、例えば、加速度センサ、ジャイロスコープ、傾斜センサ、力センサ、地磁気センサ、光学センサ、近接センサ、別の類似センサ、またはそれらの任意の組み合わせであってもよい。例えば、入力デバイスは、加速度センサ、地磁気センサ、デジタルカメラ、マイク、および光学センサであってもよい。
【００７８】
図３において、ＲＦインターフェース２０９は、送信機、受信機、およびアンテナなどのＲＦコンポーネントに通信インターフェースを提供するように構成されてもよい。ネットワーク接続インターフェース２１１は、ネットワーク２４３ａに通信インターフェースを提供するように構成されてもよい。ネットワーク２４３ａは、ローカルエリアネットワーク（ＬＡＮ）、広域ネットワーク（ＷＡＮ）、コンピュータネットワーク、無線ネットワーク、電気通信ネットワーク、別の類似ネットワーク、またはそれらの任意の組み合わせなどの有線および／または無線ネットワークを包含してもよい。例えば、ネットワーク２４３ａは、Ｗｉ−Ｆｉネットワークを構成してもよい。ネットワーク接続インターフェース２１１は、イーサネット、ＴＣＰ／ＩＰ、ＳＯＮＥＴ、ＡＴＭなどの１つ以上の通信プロトコルに従って、通信ネットワークを介して１つ以上の他の装置と通信するために使用される受信機および送信機インターフェースを含むように構成されてもよい。ネットワーク接続インターフェース２１１は、通信ネットワークリンク（例えば、光、電気など）に適した受信機機能および送信機機能を実装してもよい。送信機および受信機機能は、回路部品、ソフトウェアまたはファームウェアを共有してもよく、または代替的に別々に実装されてもよい。
【００７９】
ＲＡＭ２１７は、オペレーティングシステム、アプリケーションプログラム、デバイスドライバなどのソフトウェアプログラムの実行中にデータまたはコンピュータ命令の記憶またはキャッシングを提供するために、バス２０２を介して処理回路２０１にインターフェースするように構成されていてもよい。ＲＯＭ２１９は、コンピュータ命令またはデータを処理回路２０１に提供するように構成されていてもよい。例えば、ＲＯＭ２１９は、不揮発性メモリに記憶されている基本的な入出力（Ｉ／Ｏ）、起動、またはキーボードからのキーストロークの受信などの基本的なシステム機能のための不変の低レベルのシステムコードまたはデータを記憶するように構成されてもよい。記憶媒体２２１は、ＲＡＭ、ＲＯＭ、プログラマブルリードオンリーメモリ（ＰＲＯＭ）、消去可能プログラマブルリードオンリーメモリ（ＥＰＲＯＭ）、電気的に消去可能プログラマブルリードオンリーメモリ（ＥＥＰＲＯＭ）、磁気ディスク、光ディスク、フロッピーディスク、ハードディスク、リムーバブルカートリッジ、またはフラッシュドライブなどのメモリを含むように構成されてもよい。一例では、記憶媒体２２１は、オペレーティングシステム２２３、ウェブブラウザアプリケーション、ウィジェットまたはガジェットエンジンまたは別のアプリケーションなどのアプリケーションプログラム２２５、およびデータファイル２２７を含むように構成されてもよい。記憶媒体２２１は、ＵＥ２００によって使用するために、様々な様々なオペレーティングシステムまたはオペレーティングシステムの組み合わせのうちの任意のものを記憶してもよい。
【００８０】
記憶媒体２２１は、ＲＡＩＤ（独立ディスクの冗長アレイ）、フロッピーディスクドライブ、フラッシュメモリ、ＵＳＢフラッシュドライブ、外付けハードディスクドライブ、サムドライブ、ペンドライブ、キードライブ、高密度デジタル多目的ディスク（ＨＤ−ＤＶＤ）光ディスクドライブ、内部ハードディスクドライブなどの多数の物理ドライブユニットを含むように構成されていてもよい。ブルーレイ光ディスクドライブ、ホログラフィックデジタルデータストレージ（ＨＤＤＳ）光ディスクドライブ、外付けミニデュアルインラインメモリモジュール（ＤＩＭＭ）、同期ダイナミックランダムアクセスメモリ（ＳＤＲＡＭ）、外付けマイクロＤＩＭＭのＳＤＲＡＭ、加入者ＩＤモジュールまたはリムーバブルユーザＩＤ（ＳＩＭ／ＲＵＩＭ）モジュールなどのスマートカードメモリ、他のメモリ、またはそれらの任意の組み合わせなどが挙げられる。記憶媒体２２１は、ＵＥ２００が、一時的または非一時的の記憶媒体に記憶されているコンピュータ実行可能命令、アプリケーションプログラム、またはそのようなものにアクセスしたり、データをオフロードしたり、またはデータをアップロードしたりすることを可能にしてもよい。通信システムを利用するものなどの製造品は、デバイス可読媒体を構成する記憶媒体２２１に当接可能に具現化されてもよい。
【００８１】
図３において、処理回路２０１は、通信サブシステム２３１を使用してネットワーク２４３ｂと通信するように構成されてもよい。ネットワーク２４３ａおよびネットワーク２４３ｂは、同じネットワークまたはネットワークであってもよいし、異なるネットワークまたはネットワークであってもよい。通信サブシステム２３１は、ネットワーク２４３ｂと通信するために使用される１つ以上の送受信機を含むように構成されてもよい。例えば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなどの１つ以上の通信プロトコルに従って、別のＷＤ、ＵＥ、または無線アクセスネットワーク（ＲＡＮ）の基地局などの無線通信が可能な別のデバイスの１つ以上のリモート送受信機と通信するために使用される１つ以上の送受信機を含むように構成されてもよい。各送受信機は、それぞれ、ＲＡＮリンクに適した送信機または受信機機能（例えば、周波数割り当てなど）を実装するために、送信機２３３および／または受信機２３５を含んでもよい。さらに、各送受信機の送信機２３３および受信機２３５は、回路部品、ソフトウェアまたはファームウェアを共有してもよく、または代替的に別々に実装されてもよい。
【００８２】
図示された実施形態では、通信サブシステム２３１の通信機能は、データ通信、音声通信、マルチメディア通信、Ｂｌｕｅｔｏｏｔｈなどの近距離通信、近距離通信、全地球測位システム（ＧＰＳ）を使用して位置を決定するような位置ベースの通信、別の類似の通信機能、またはそれらの任意の組み合わせを含んでもよい。例えば、通信サブシステム２３１は、セルラー通信、Ｗｉ−Ｆｉ通信、Ｂｌｕｅｔｏｏｔｈ通信、ＧＰＳ通信を含んでもよい。ネットワーク２４３ｂは、ローカルエリアネットワーク（ＬＡＮ）、広域ネットワーク（ＷＡＮ）、コンピュータネットワーク、無線ネットワーク、通信ネットワーク、別の同様のネットワーク、またはそれらの任意の組み合わせなどの有線および／または無線ネットワークを包含してもよい。例えば、ネットワーク２４３ｂは、セルラーネットワーク、Ｗｉ−Ｆｉネットワーク、および／またはニアフィールドネットワークであってもよい。電源２１３は、ＵＥ２００の構成要素に交流（ＡＣ）または直流（ＤＣ）電力を供給するように構成されてもよい。
【００８３】
本明細書に記載された特徴、利点、および／または機能は、ＵＥ２００の構成要素の１つに実装されてもよいし、ＵＥ２００の複数の構成要素にまたがって分割されてもよい。さらに、本明細書に記載された特徴、利点、および／または機能は、ハードウェア、ソフトウェア、またはファームウェアの任意の組み合わせで実装されてもよい。一例では、通信サブシステム２３１は、本明細書に記載された構成要素のいずれかを含むように構成されてもよい。さらに、処理回路２０１は、バス２０２を介してそのような構成要素のいずれかと通信するように構成されてもよい。別の例では、そのような構成要素のいずれかは、処理回路２０１によって実行されると、本明細書に記載された対応する機能を実行する、メモリに格納されたプログラム命令によって表されてもよい。別の例では、そのような構成要素のいずれかの機能は、処理回路２０１と通信サブシステム２３１との間で分割されてもよい。別の例では、そのような構成要素のいずれかの非計算集約的な機能は、ソフトウェアまたはファームウェアで実装されてもよく、計算集約的な機能は、ハードウェアで実装されてもよい。
【００８４】
図４は、特定の実施形態に従った、無線デバイスにおける例示的な方法を例示するフローチャートである。特定の実施形態では、図４の１つまたは複数のステップは、図２に関して記述された無線デバイス１１０によって実行されてもよい。
【００８５】
方法は、無線デバイス（例えば、無線デバイス１１０）がＵＣＩを送信するためのＵＣＩ構成情報を受信するステップ４１１２から始まる。例えば、無線デバイス１１０は、ネットワークノード１６０からＵＣＩ構成情報を受信してもよい。構成情報は、ＵＣＩを送信するために予約する時間／周波数リソースのサブセット、ＵＣＩペイロードサイズ；およびＵＣＩタイプのうちの少なくとも１つから構成される。構成情報を受信することは、ＲＲＣシグナリングを受信することと、レイヤ１シグナリングを受信することとのうちの少なくとも１つを含んでもよい。
【００８６】
ステップ４１１４で、無線デバイスは、ＵＣＩを送信するために、グラントフリーアップリンクチャネルの時間／周波数リソースのサブセットを予約する。例えば、無線デバイス１１０は、図１に図示されているように、時間／周波数リソースのサブセットを予約してもよい。
【００８７】
無線デバイスは、次のアップリンク送信で送信するＵＣＩを有しているどうかを判定する。例えば、無線デバイスは、送信するためのＨＡＲＱ応答を持っていると判断してもよい。無線デバイスが送信するＵＣＩを有している場合、方法はステップ４１６に進み、ここで無線デバイスは、時間／周波数リソースの予約されたサブセット内のネットワークノードにＵＣＩを送信する。無線デバイスが送信するＵＣＩを持たない場合、方法はステップ４１１８に進み、ここで無線デバイスは、時間／周波数リソースの予約されたサブセット内のユーザデータ（またはデータなし）を送信する。
【００８８】
特定の実施形態では、無線デバイスは、グラントフリーアップリンクチャネルがＵＣＩのために予約された時間／周波数リソースのサブセットを含むことを示す第１のＤＭＲＳを送信し、グラントフリーアップリンクチャネルがＵＣＩのために予約された時間／周波数リソースのサブセットを含まないことを示す第２のＤＭＲＳを送信することによって、グラントフリーアップリンクチャネルの時間／周波数リソースのサブセットがＵＣＩを送信するために予約されているかどうかを示すことができる。いくつかの実施形態では、方法は、グラントフリーアップリンクチャネルがＵＣＩのために予約された時間／周波数リソースのサブセットを含むことを示すリソースの第１のプールを選択し、グラントフリーアップリンクチャネルがＵＣＩのために予約された時間／周波数リソースのサブセットを含まないことを示すリソースの第２のプールを選択することによって、グラントフリーアップリンクチャネルの時間／周波数リソースのサブセットがＵＣＩを送信するために予約されているかどうかを示すことからなる。
【００８９】
修正、追加、または省略は、図４の方法４１００に行われてもよい。さらに、図４の方法における１つ以上のステップは、並列に、または任意の適切な順序で実行されてもよい。
【００９０】
図５は、特定の実施形態に従った、ネットワークノードにおける例示的な方法を例示するフローチャートである。特定の実施形態では、図５の１つまたは複数のステップは、図２に関して記述されたネットワークノード１６０によって実行されてもよい。
【００９１】
方法は、ネットワークノード（例えば、無線デバイス１６０）が無線デバイスにＵＣＩ構成情報を送信するステップ５１２から始まる。ＵＣＩ構成情報は、ＵＣＩを送信するために予約するためのグラントフリーアップリンクチャネルの時間／周波数リソースのサブセット、ＵＣＩペイロードサイズ、およびＵＣＩタイプのうちの少なくとも１つのインジケーションを含む。無線デバイスへのＵＣＩ構成情報の送信は、ＲＲＣシグナリングの送信およびレイヤ１シグナリングの送信のうちの少なくとも１つを含んでもよい。
【００９２】
ステップ５１１４で、ネットワークノードは、グラントフリーアップリンクチャネルを受信する。例えば、ネットワークノード１６０は、無線デバイス１１０からアップリンク送信を受信してもよい。アップリンク伝送は、図１に図示されているように、グラントフリーアップリンクチャネルを含んでもよい。
【００９３】
ステップ５１１６で、ネットワークノードは、受信したグラントフリーアップリンクチャネルが、時間／周波数リソースの予約されたサブセットにＵＣＩを含むかどうかを決定する。例えば、ネットワークノード１６０は、時間／周波数リソースの予約済みサブセットを盲目的に復号してもよい。盲目的（ブラインド）復号は、予約されたリソース上のＵＣＩのためのブラインド復号、または予約されたリソースを含む／含まないデータリソース上のデータのためのブラインド復号を含んでもよい。
【００９４】
いくつかの実施形態では、ネットワークノード１６０は、受信したＤＭＲＳが、グラントフリーアップリンクチャネルがＵＣＩのために予約された時間／周波数リソースのサブセットを含むことを示す第１のタイプであるか、またはグラントフリーアップリンクチャネルがＵＣＩのために予約された時間／周波数リソースのサブセットを含まないことを示す第２のタイプであるかを決定してもよい。いくつかの実施形態では、ネットワークノード１６０は、受信されたグラントフリーアップリンクチャネルが、予約された時間／周波数リソースのサブセットにＵＣＩを含むと判定してもよく、予約された時間／周波数リソースのサブセットが、第１のリソースプールに属するか、または第２のリソースプールに属するかを判定することからなる。
【００９５】
修正、追加、または省略は、図５の方法５１００に行われてもよい。さらに、図５の方法における１つ以上のステップは、並列に、または任意の適切な順序で実行されてもよい。
【００９６】
図６は、特定の実施形態に従った、例示的な無線デバイスを示す。装置は、無線デバイス（例えば、図１に図示された無線デバイス１１００）に実装されてもよい。装置１６００は、図４を参照して説明された例示的な方法、および場合によっては本明細書に開示された他の任意のプロセスまたは方法を実行するために動作可能である。また、図４の方法は、必ずしも装置１６００のみによって実行されるとは限らないことが理解される。方法の少なくともいくつかの動作は、仮想装置を含む１つ以上の他のエンティティによって実行され得る。
【００９７】
装置１６００は、１つまたは複数のマイクロプロセッサまたはマイクロコントローラ、およびデジタル信号プロセッサ（ＤＳＰ）、特殊用途デジタルロジックなどを含む他のデジタルハードウェアを含むことができる処理回路を構成してもよい。処理回路は、メモリに記憶されたプログラムコードを実行するように構成されていてもよく、これは、リードオンリーメモリ（ＲＯＭ）、ランダムアクセスメモリ、キャッシュメモリ、フラッシュメモリ装置、光記憶装置などの１つまたは複数のタイプのメモリを含んでいてもよい。メモリに記憶されたプログラムコードは、いくつかの実施形態において、本明細書に記載された技術のうちの１つ以上の技術を実行するための命令と同様に、１つ以上の電気通信プロトコルおよび／またはデータ通信プロトコルを実行するためのプログラム命令を含む。いくつかの実施形態では、処理回路は、受信ユニット１６０２、決定ユニット１６０４、記憶ユニット１６０６、通信ユニット１６０８、および装置１６００の任意の他の適切なユニットが、本開示の１つ以上の実施形態に従って対応する機能を実行するように引き起こすために使用されてもよい。
【００９８】
図６に示すように、装置１６００は、受信ユニット１６０２、決定ユニット１６０４、および送信ユニット１６０６を含む。特定の実施形態では、受信ユニット１６０２は、本明細書に記載された実施形態および例のいずれかに従って、ネットワークノード１６０からＵＣＩ構成を受信してもよい。構成ユニット１６０４は、本明細書に記載された実施形態および例のいずれかに従って、ＵＣＩを送信するために、グラントフリーアップリンクチャネルの時間／周波数リソースのサブセットを予約してもよい。特定の実施形態では、送信ユニット１６０８は、本明細書に記載された実施形態および例のいずれかに従って、（ＵＣＩの有無にかかわらず）グラントフリーアップリンクチャネルをネットワークノードに送信してもよい。
【００９９】
図７は、特定の実施形態に従った、例示的なネットワークノードを示す。装置は、ネットワークノード（例えば、図１に図示されたネットワークノード１６０）に実装されてもよい。装置１７００は、図５を参照して説明された例示的な方法、および場合によっては本明細書に開示された他の任意のプロセスまたは方法を実行するために動作可能である。また、図５の方法は、必ずしも装置１７００のみによって実行されるとは限らないことが理解される。方法の少なくともいくつかの動作は、仮想装置を含む１つ以上の他のエンティティによって実行され得る。
【０１００】
装置１７００は、１つ以上のマイクロプロセッサまたはマイクロコントローラ、およびデジタル信号プロセッサ（ＤＳＰ）、特殊用途デジタルロジックなどを含む他のデジタルハードウェアを含む処理回路を構成してもよい。処理回路は、メモリに記憶されたプログラムコードを実行するように構成されていてもよく、これは、リードオンリーメモリ（ＲＯＭ）、ランダムアクセスメモリ、キャッシュメモリ、フラッシュメモリ装置、光記憶装置などの１つまたは複数のタイプのメモリを含んでいてもよい。メモリに記憶されたプログラムコードは、いくつかの実施形態において、本明細書に記載された技術のうちの１つ以上の技術を実行するための命令と同様に、１つ以上の電気通信プロトコルおよび／またはデータ通信プロトコルを実行するためのプログラム命令を含む。いくつかの実施形態では、処理回路は、受信ユニット１７０２および決定ユニット１７０４、および装置１７００の任意の他の好適なユニットが、本開示の１つ以上の実施形態に従って対応する機能を実行するように引き起こすために使用されてもよい。
【０１０１】
図７に示すように、装置１７００は、構成ユニット１７０２と、受信ユニット１７０４と、送信ユニット１７０６とを含む。特定の実施形態では、構成ユニット１７０２は、本明細書に記載された実施形態および例のいずれかに従って、無線デバイスにＵＣＩ構成情報を送信してもよい。特定の実施形態では、受信ユニット１７０４は、本明細書に記載された実施形態および例のいずれかに従って、無線デバイスからアップリンク送信を受信してもよい。特定の実施形態では、送信ユニット１７０４は、構成ユニット１７０２と連携して、本明細書に記載されている実施形態および例のいずれかに従って、ＵＣＩ構成情報を無線デバイスに送信してもよい。
【０１０２】
図８は、いくつかの実施形態によって実装された機能が仮想化されてもよい仮想化環境３００を例示する概略ブロック図である。本明細書では、仮想化とは、ハードウェアプラットフォーム、ストレージデバイス、およびネットワークリソースの仮想化を含み得る装置またはデバイスの仮想バージョンを作成することを意味する。本明細書で使用されるように、仮想化は、ノード（例えば、仮想化された基地局または仮想化された無線アクセスノード）またはデバイス（例えば、ＵＥ、無線デバイス、または任意の他のタイプの通信デバイス）またはそのコンポーネントに適用することができ、機能の少なくとも一部が１つ以上の仮想コンポーネント（例えば、１つ以上のネットワーク内の１つ以上の物理的な処理ノード上で実行される１つ以上のアプリケーション、コンポーネント、機能、仮想マシンまたはコンテナを介して）として実装される実施形態に関連している。
【０１０３】
いくつかの実施形態では、本明細書に記載された機能の一部または全部は、１つ以上のハードウェアノード３３０のうちの１つ以上のハードウェアノード３３０によってホストされた１つ以上の仮想環境３００内に実装された１つ以上の仮想マシンによって実行される仮想コンポーネントとして実装されてもよい。さらに、仮想ノードが無線アクセスノードではないか、または無線接続を必要としない実施形態（例えば、コアネットワークノード）では、ネットワークノードは完全に仮想化されてもよい。
【０１０４】
機能は、本明細書に開示されたいくつかの実施形態の特徴、機能、および／または利点のいくつかを実装するために作動する１つ以上のアプリケーション３２０（これは、代替的に、ソフトウェアインスタンス、仮想アプライアンス、ネットワーク機能、仮想ノード、仮想ネットワーク機能などと呼ばれてもよい）によって実装されてもよい。アプリケーション３２０は、処理回路３６０およびメモリ３９０からなるハードウェア３３０を提供する仮想化環境３００内で実行される。メモリ３９０は、処理回路３６０によって実行可能な命令３９５を含み、それによってアプリケーション３２０は、本明細書に開示されている特徴、利点、および／または機能のうちの１つ以上を提供するために作動する。
【０１０５】
仮想化環境３００は、市販のオフザシェルフ（ＣＯＴＳ）プロセッサ、専用のＡＳＩＣ（特定用途向け集積回路）、またはデジタルまたはアナログのハードウェアコンポーネントまたは専用プロセッサを含む他のタイプの処理回路であってもよい１組以上のプロセッサまたは処理回路３６０からなる汎用または特殊用途ネットワークハードウェアデバイス３３０で構成されている。各ハードウェアデバイスは、命令３９５または処理回路３６０によって実行されるソフトウェアを一時的に記憶するための非永続メモリであってもよいメモリ３９０−１を構成してもよい。各ハードウェアデバイスは、物理ネットワークインターフェース３８０を含む、ネットワークインターフェースカードとしても知られる、１つ以上のネットワークインターフェースコントローラ（ＮＩＣ）３７０を含んでもよい。各ハードウェアデバイスはまた、ソフトウェア３９５および／または処理回路３６０によって実行可能な命令をそこに格納した非一時的の、永続的な、機械読み取り可能な記憶媒体３９０−２を含んでもよい。ソフトウェア３９５は、１つ以上の仮想化レイヤ３５０（ハイパーバイザーとも呼ばれる）をインスタンス化するためのソフトウェア、仮想マシン３４０を実行するためのソフトウェア、および本明細書に記載されたいくつかの実施形態に関連して記載された機能、特徴および／または利点を実行することを可能にするソフトウェアを含む、任意のタイプのソフトウェアを含むことができる。
【０１０６】
仮想マシン３４０は、仮想処理、仮想メモリ、仮想ネットワークまたはインターフェース、および仮想ストレージからなり、対応する仮想化レイヤ３５０またはハイパーバイザによって実行されてもよい。仮想アプライアンス３２０のインスタンスの異なる実施形態は、仮想マシン３４０の１つ以上に実装されてもよい。
【０１０７】
動作中、処理回路３６０は、ハイパーバイザーまたは仮想化レイヤ３５０をインスタンス化するためのソフトウェア３９５を実行し、これは、仮想マシンモニタ（ＶＭＭ）と呼ばれることがある。仮想化レイヤ３５０は、ネットワークハードウェアのように見える仮想オペレーティングプラットフォームを仮想マシン３４０に提示してもよい。
【０１０８】
図８に示すように、ハードウェア３３０は、一般的または特定のコンポーネントを有するスタンドアロンのネットワークノードであってもよい。ハードウェア３３０は、アンテナ３２２５を構成してもよく、仮想化を介していくつかの機能を実装してもよい。代替的に、ハードウェア３３０は、多くのハードウェアノードが一緒に動作し、特にアプリケーション３２０のライフサイクル管理を監督する管理およびオーケストレーション（ＭＡＮＯ）３１００を介して管理される、ハードウェアのより大きなクラスタ（例えば、データセンターまたはカスタマープレミス機器（ＣＰＥ）内など）の一部であってもよい。
【０１０９】
ハードウェアの仮想化は、いくつかの文脈では、ネットワーク機能仮想化（ＮＦＶ）と呼ばれている。ＮＦＶは、多くのネットワーク機器タイプを、業界標準の大容量サーバハードウェア、物理スイッチ、および物理ストレージに統合するために使用されてもよく、これらは、データセンター内に配置されてもよく、顧客先の機器に配置されてもよい。
【０１１０】
ＮＦＶの文脈では、仮想マシン３４０は、仮想化されていない物理マシン上で実行されているかのようにプログラムを実行する物理マシンのソフトウェア実装であってもよい。仮想マシン３４０のそれぞれ、およびその仮想マシンを実行するハードウェア３３０のその部分は、その仮想マシン専用のハードウェアおよび／またはその仮想マシンが仮想マシン３４０の他の人と共有するハードウェアであってもよく、別個の仮想ネットワーク要素（ＶＮＥ）を形成する。
【０１１１】
まだＮＦＶの文脈では、仮想ネットワーク機能（ＶＮＦ）は、ハードウェアネットワークインフラストラクチャ３３０の上にある１つ以上の仮想マシン３４０で実行される特定のネットワーク機能を処理することを担当し、図８のアプリケーション３２０に対応する。
【０１１２】
いくつかの実施形態では、それぞれが１つ以上の送信機３２２０および１つ以上の受信機３２１０を含む１つ以上の無線ユニット３２００は、１つ以上のアンテナ３２２５に結合されてもよい。無線ユニット３２００は、１つ以上の適切なネットワークインターフェースを介してハードウェアノード３３００と直接通信してもよく、無線アクセスノードまたは基地局などの無線機能を有する仮想ノードを提供するために、仮想コンポーネントと組み合わせて使用してもよい。
【０１１３】
いくつかの実施形態では、いくつかのシグナリングは、ハードウェアノード３３００と無線ユニット３２００との間の通信のために代替的に使用されてもよい制御システム３２３０の使用によって行われてもよい。
【０１１４】
図９を参照して、一実施形態によれば、通信システムは、無線アクセスネットワークなどのアクセスネットワーク４１１とコアネットワーク４１４とからなる３ＧＰＰ型セルラーネットワークなどの通信ネットワーク４１０を含む。アクセスネットワーク４１１は、ＮＢ、ｅＮＢ、ｇＮＢ、または他のタイプの無線アクセスポイントのような複数の基地局４１２ａ、４１２ｂ、４１２ｃからなり、それぞれが対応するカバレッジエリア４１３ａ、４１３ｂ、４１３ｃを定義する。各基地局４１２ａ、４１２ｂ、４１２ｃは、有線または無線接続４１５を介してコアネットワーク４１４に接続可能である。カバレッジ領域４１３ｃに位置する第１のＵＥ４９１は、対応する基地局４１２ｃに無線で接続するように、または対応する基地局４１２ｃによってページングされるように構成されている。カバレッジ領域４１３ａに位置する第２のＵＥ４９２は、対応する基地局４１２ａに無線接続可能に構成されている。複数のＵＥ４９１，４９２がこの例で図示されているが、開示された実施形態は、単独のＵＥがカバレッジエリア内にある状況、または単独のＵＥが対応する基地局４１２に接続している状況にも同様に適用可能である。
【０１１５】
通信ネットワーク４１０は、それ自体がホストコンピュータ４３０に接続されており、このホストコンピュータ４３０は、スタンドアロンサーバ、クラウド実装サーバ、分散サーバ、またはサーバファーム内の処理リソースとしてのハードウェアおよび／またはソフトウェアで具現化されていてもよい。ホストコンピュータ４３０は、サービスプロバイダの所有権または制御下にあるか、またはサービスプロバイダによって、またはサービスプロバイダに代わって運営されてもよい。通信ネットワーク４１０とホストコンピュータ４３０との間の接続４２１、４２２は、コアネットワーク４１４からホストコンピュータ４３０に直接延びてもよいし、任意の中間ネットワーク４２０を経由してもよい。中間ネットワーク４２０は、パブリックネットワーク、プライベートネットワーク、またはホストネットワークのうちの１つ、または２つ以上の組み合わせであってもよく、中間ネットワーク４２０は、もしあれば、バックボーンネットワークまたはインターネットであってもよく、特に、中間ネットワーク４２０は、２つ以上のサブネットワーク（図示せず）から構成されてもよい。
【０１１６】
図９の通信システムは、全体として、接続されたＵＥ４９１，４９２とホストコンピュータ４３０との間の接続性を可能にする。接続性は、オーバーザトップ（ＯＴＴ）接続４５０として記述されてもよい。ホストコンピュータ４３０および接続されたＵＥ４９１、４９２は、アクセスネットワーク４１１、コアネットワーク４１４、任意の中間ネットワーク４２０、および可能なさらなるインフラストラクチャ（図示せず）を中間体として使用して、ＯＴＴ接続４５０を介してデータおよび／またはシグナリングを通信するように構成されている。ＯＴＴ接続４５０は、ＯＴＴ接続４５０が通過する参加通信デバイスがアップリンク通信およびダウンリンク通信のルーティングを知らないという意味で透過的であってもよい。例えば、基地局４１２は、接続されたＵＥ４９１に転送（例えば、ハンドオーバー）されるべきホストコンピュータ４３０から発信されるデータを有する着信ダウンリンク通信の過去のルーティングについて知らされていないかもしれないし、知らされる必要がないかもしれない。同様に、基地局４１２は、ＵＥ４９１からホストコンピュータ４３０に向かって発信するアップリンク通信の将来のルーティングについて知らされる必要はない。
【０１１７】
図１０は、特定の実施形態に従って、部分的に無線接続を介してユーザ装置と基地局を介して通信する例示的なホストコンピュータを示す。例示的な実施形態に従って、前の段落で議論されたＵＥ、基地局、およびホストコンピュータの例示的な実施形態が、次に、図１０を参照して説明される。通信システム５００において、ホストコンピュータ５１０は、通信システム５００の別の通信装置のインターフェースとの有線または無線接続を設定し、維持するように構成された通信インターフェース５１６を含むハードウェア５１５を構成する。ホストコンピュータ５１０はさらに、ストレージおよび／または処理能力を有していてもよい処理回路５１８を構成する。特に、処理回路５１８は、命令を実行するように適合された１つ以上のプログラマブルプロセッサ、特定用途向け集積回路、フィールドプログラマブルゲートアレイ、またはこれらの組み合わせ（図示せず）で構成されていてもよい。ホストコンピュータ５１０は、さらに、ホストコンピュータ５１０に格納されているか、またはホストコンピュータ５１０によってアクセス可能であり、処理回路回路５１８によって実行可能なソフトウェア５１１を構成する。ソフトウェア５１１は、ホストアプリケーション５１２を含む。ホストアプリケーション５１２は、ＵＥ５３０とホストコンピュータ５１０で終端するＯＴＴ接続５５０を介して接続するＵＥ５３０などのリモートユーザにサービスを提供するために動作可能であってもよい。リモートユーザにサービスを提供する際に、ホストアプリケーション５１２は、ＯＴＴ接続５５０を使用して送信されるユーザデータを提供してもよい。
【０１１８】
通信システム５００は、通信システムに提供される基地局５２０をさらに含み、ホストコンピュータ５１０およびＵＥ５３０と通信することを可能にするハードウェア５２５を構成する。ハードウェア５２５は、通信システム５００の別の通信装置のインターフェースとの有線または無線接続を設定して維持するための通信インターフェース５２６と、基地局５２０によって提供されるカバレッジ領域（図１０には示されていない）内に位置するＵＥ５３０との少なくとも無線接続５７０を設定して維持するための無線インターフェース５２７とを含んでもよい。通信インターフェース５２６は、ホストコンピュータ５１０への接続５６０を容易にするように構成されてもよい。接続５６０は、直接であってもよいし、電気通信システムのコアネットワーク（図１０には示されていない）を通過してもよく、および／または電気通信システムの外部の１つ以上の中間ネットワークを通過してもよい。示された実施形態では、基地局５２０のハードウェア５２５は、さらに処理回路５２８を含み、この処理回路５２８は、命令を実行するように適合された１つ以上のプログラマブルプロセッサ、特定用途向け集積回路、フィールドプログラマブルゲートアレイ、またはこれらの組み合わせ（図示せず）から構成されていてもよい。基地局５２０はさらに、内部的に記憶されているか、または外部接続を介してアクセス可能なソフトウェア５２１を有する。
【０１１９】
通信システム５００はさらに、既に言及されているＵＥ５３０を含む。そのハードウェア５３５は、ＵＥ５３０が現在位置しているカバレッジエリアにサービスを提供する基地局との無線接続５７０を設定し、維持するように構成された無線インターフェース５３７を含んでもよい。ＵＥ５３０のハードウェア５３５はさらに、命令を実行するように適合された１つ以上のプログラマブルプロセッサ、特定用途向け集積回路、フィールドプログラマブルゲートアレイ、またはこれらの組み合わせ（図示せず）から構成されてもよい処理回路５３８を含む。ＵＥ５３０はさらに、ソフトウェア５３１を含み、このソフトウェア５３１は、ＵＥ５３０内に格納されているか、またはＵＥ５３０によってアクセス可能であり、処理回路５３８によって実行可能である。ソフトウェア５３１は、クライアントアプリケーション５３２を含む。クライアントアプリケーション５３２は、ホストコンピュータ５１０の支援を受けて、ＵＥ５３０を介して人間または非人間のユーザにサービスを提供するために動作可能であってもよい。ホストコンピュータ５１０において、実行ホストアプリケーション５１２は、ＵＥ５３０およびホストコンピュータ５１０で終端するＯＴＴ接続５５０を介して、実行クライアントアプリケーション５３２と通信してもよい。ユーザにサービスを提供する際に、クライアントアプリケーション５３２は、ホストアプリケーション５１２から要求データを受信し、要求データに応答してユーザデータを提供してもよい。ＯＴＴ接続５５０は、要求データとユーザデータの両方を転送してもよい。クライアントアプリケーション５３２は、提供するユーザデータを生成するためにユーザと対話してもよい。
【０１２０】
図１０に図示されたホストコンピュータ５１０、基地局５２０、およびＵＥ５３０は、ホストコンピュータ４３０、基地局４１２ａ、４１２ｂ、４１２ｃのうちの１つ、および図９のＵＥ４９１、４９２のうちの１つとそれぞれ類似または同一であってもよいことに留意されたい。すなわち、これらのエンティティの内部動作は、図４および図５に示されているようなものであってもよく、独立して、周囲のネットワークトポロジーは、図９のものであってもよい。
【０１２１】
図１０において、ＯＴＴ接続５５０は、任意の中間装置およびこれらの装置を介したメッセージの正確なルーティングに明示的に言及することなく、基地局５２０を介したホストコンピュータ５１０とＵＥ５３０との間の通信を例示するために、抽象的に描かれている。ネットワークインフラストラクチャは、ルーティングを決定してもよく、それは、ＵＥ５３０から、またはホストコンピュータ５１０を操作するサービスプロバイダから、またはその両方から隠蔽するように構成されてもよい。ＯＴＴ接続５５０がアクティブである間、ネットワークインフラストラクチャは、ルーティングを動的に変更する（例えば、負荷分散の考慮またはネットワークの再構成に基づいて）決定をさらに行ってもよい。
【０１２２】
ＵＥ５３０と基地局５２０との間の無線接続５７０は、本開示全体に記載された実施形態の教示に従う。様々な実施形態のうちの１つ以上は、無線接続５７０が最後のセグメントを形成するＯＴＴ接続５５０を使用してＵＥ５３０に提供されるＯＴＴサービスのパフォーマンスを改善する。より詳細には、これらの実施形態の教示は、シグナリングオーバーヘッドを改善し、レイテンシを低減して、ユーザにより高速なインターネットアクセスを提供してもよい。
【０１２３】
測定手順は、データレート、遅延、および１つ以上の実施形態の教示が改善する他の要因を監視する目的のために提供されてもよい。測定結果の変動に応答して、ホストコンピュータ５１０とＵＥ５３０との間のＯＴＴ接続５５０を再構成するための任意のネットワーク機能がさらに設けられてもよい。測定手順および／またはＯＴＴ接続５５０を再構成するためのネットワーク機能は、ホストコンピュータ５１０のソフトウェア５１１およびハードウェア５１５、またはＵＥ５３０のソフトウェア５３１およびハードウェア５３５、またはその両方で実装されてもよい。実施形態では、センサ（図示せず）は、ＯＴＴ接続５５０が通過する通信デバイス内に、または通信デバイスと関連して配置されてもよく、センサは、上で例示した監視量の値を供給するか、またはソフトウェア５１１，５３１が監視量を計算または推定することができる他の物理量の値を供給することによって、測定手順に参加してもよい。ＯＴＴ接続５５０の再構成は、メッセージフォーマット、再送設定、好ましいルーティングなどを含んでもよく、再構成は基地局５２０に影響を与える必要はなく、基地局５２０には知られていないか、または感知できないかもしれない。そのような手順および機能性は、当技術分野で知られており、実践されているかもしれない。特定の実施形態では、測定は、スループット、伝搬時間、レイテンシなどのホストコンピュータ５１０の測定を容易にする独自のＵＥシグナリングを含んでもよい。測定は、ソフトウェア５１１および５３１が、伝搬時間、エラーなどを監視している間に、ＯＴＴ接続５５０を使用して、メッセージ、特に空のメッセージまたは「ダミー」メッセージを送信させるように実装されてもよい。
【０１２４】
図１１は、一実施形態に従った、通信システムに実装された方法を示すフローチャートである。通信システムは、ホストコンピュータ、基地局、および図９および図１０を参照して説明したものであり得るＵＥを含む。本開示の単純化のために、図１１を参照した図面のみが本項に含まれる。ステップ６１０において、ホストコンピュータは、ユーザデータを提供する。ステップ６１０のサブステップ６１１（これは任意であってもよい）において、ホストコンピュータは、ホストアプリケーションを実行することにより、ユーザデータを提供する。ステップ６２０において、ホストコンピュータは、ユーザデータをＵＥに運ぶ送信を開始する。ステップ６３０（これは任意であってもよい）では、基地局は、本開示全体に記載された実施形態の教示に従って、ホストコンピュータが開始した送信で運ばれたユーザデータをＵＥに送信する。ステップ６４０（これは任意であってもよい）では、ＵＥは、ホストコンピュータによって実行されるホストアプリケーションに関連付けられたクライアントアプリケーションを実行する。
【０１２５】
図１２は、一実施形態に従った、通信システムに実装された方法を示すフローチャートである。通信システムは、ホストコンピュータ、基地局、および図９および図１０を参照して説明したものであってもよいＵＥを含む。本開示の単純化のために、図１２を参照した図面のみが本明細書に含まれる。方法のステップ７１０において、ホストコンピュータは、ユーザデータを提供する。任意のサブステップ（図示せず）では、ホストコンピュータは、ホストアプリケーションを実行することにより、ユーザデータを提供する。ステップ７２０では、ホストコンピュータは、ユーザデータをＵＥに伝送する伝送を開始する。伝送は、本開示全体に記載された実施形態の教示に従って、基地局を経由してもよい。ステップ７３０（これは任意であってもよい）では、ＵＥは、送信で運ばれたユーザデータを受信する。
【０１２６】
図１３は、一実施形態に従って、通信システムに実装された方法を示すフローチャートです。通信システムは、ホストコンピュータ、基地局、および図９および図１０を参照して説明したものであり得るＵＥを含む。本開示を簡単にするために、図１３を参照した図面のみを本明細書に含める。ステップ８１０（これは任意であってもよい）において、ＵＥは、ホストコンピュータによって提供される入力データを受信する。さらに、または代替的に、ステップ８２０において、ＵＥは、ユーザデータを提供する。ステップ８２０のサブステップ８２１（これはオプションであってもよい）では、ＵＥは、クライアントアプリケーションを実行することにより、ユーザデータを提供する。ステップ８１０のサブステップ８１１（これは任意であってもよい）において、ＵＥは、ホストコンピュータによって提供された受信入力データに反応してユーザデータを提供するクライアントアプリケーションを実行する。ユーザデータを提供する際に、実行されるクライアントアプリケーションは、ユーザから受信したユーザ入力をさらに考慮してもよい。ユーザデータが提供された特定の方法にかかわらず、ＵＥは、サブステップ８３０（これは任意であってもよい）において、ホストコンピュータへのユーザデータの送信を開始する。方法のステップ８４０において、ホストコンピュータは、本開示全体に記載された実施形態の教示に従って、ＵＥから送信されたユーザデータを受信する。
【０１２７】
図１４は、一実施形態に従って、通信システムに実装された方法を示すフローチャートである。通信システムは、ホストコンピュータ、基地局、および図９および図１０を参照して説明したものであり得るＵＥを含む。本開示を簡単にするために、図１４を参照した図面のみが本明細書に含まれる。ステップ９１０（これは任意であってもよい）では、本開示全体に記載された実施形態の教示に従って、基地局は、ＵＥからユーザデータを受信する。ステップ９２０（これは任意であってもよい）では、基地局は、受信したユーザデータのホストコンピュータへの送信を開始する。ステップ９３０（これは任意であってもよい）では、ホストコンピュータは、基地局によって開始された送信で運ばれたユーザデータを受信する。
【０１２８】
ユニットという用語は、電子機器、電気機器および／または電子機器の分野において従来の意味を有してもよく、例えば、電気および／または電子回路、デバイス、モジュール、プロセッサ、メモリ、論理ソリッドステートおよび／またはディスクリートデバイス、それぞれのタスク、手順、計算、出力、および／または表示機能を実行するためのコンピュータプログラムまたは命令など、本明細書に記載されているようなものを含んでいてもよい。
【０１２９】
一般的に、本明細書で使用されるすべての用語は、異なる意味が明確に与えられている場合および／または使用される文脈から暗示されている場合を除き、関連する技術分野における通常の意味に従って解釈されるべきである。１つの／その（a／an／the）要素、装置、構成要素、手段、ステップなどへのすべての言及は、明示的に別段の記載がない限り、要素、装置、構成要素、手段、ステップなどの少なくとも１つのインスタンスを参照していると公然と解釈されるべきである。本明細書に開示された任意の方法のステップは、ステップが他のステップに続くか先行するように明示的に記述されている場合、および／またはステップが他のステップに続くか先行しなければならないことが暗黙的に記述されている場合を除き、開示された正確な順序で実行されなければならないわけではない。本明細書に開示された実施形態のいずれかの特徴は、適切な場合はどこでも、他の実施形態に適用することができる。同様に、本明細書に開示された実施形態のいずれかの利点は、他の実施形態のいずれかに適用されてもよく、またその逆も同様である。封入された実施形態の他の目的、特徴および利点は、以下の説明から明らかになるであろう。
【０１３０】
本発明の範囲から逸脱することなく、本明細書に開示されたシステムおよび装置に修正、追加、または省略を行ってもよい。システムおよび装置の構成要素は、統合されていてもよいし、分離されていてもよい。さらに、システムおよび装置の動作は、より多くの、より少ない、または他の構成要素によって実行されてもよい。さらに、システムおよび装置の動作は、ソフトウェア、ハードウェア、および／または他のロジックからなる任意の適切なロジックを用いて実行されてもよい。本明細書で使用される場合、「各（each）」とは、集合の各メンバーまたは集合のサブセットの各メンバーを指す。
【０１３１】
本発明の範囲から逸脱することなく、本明細書に開示された方法に修正、追加、または省略を行ってもよい。方法は、より多くのステップ、より少ないステップ、または他のステップを含んでもよい。さらに、ステップは、任意の適切な順序で実行されてもよい。
【０１３２】
前述の説明は、多数の具体的な詳細を規定している。しかしながら、実施形態は、これらの具体的な詳細なしに実施されてもよいことが理解される。他の実施例では、本明細書の理解を曖昧にしないために、周知の回路、構造、および技術が詳細に示されていない。当技術分野における通常の当業者であれば、含まれる記述を用いて、過度の実験を行わずに適切な機能を実装することができるであろう。
【０１３３】
本明細書において、「１つの（one）実施形態」、「１つの（an）実施形態」、「１つの（an）例示的な実施形態」などへの言及は、記載された実施形態が特定の特徴、構造、または特徴を含むことがあることを示しているが、すべての実施形態は、必ずしも特定の特徴、構造、または特徴を含むとは限らない。さらに、そのような言い回しは、必ずしも同一の実施形態を指すものではない。さらに、特定の特徴、構造、または特性がある実施形態に関連して記載されている場合、明示的に記載されているか否かにかかわらず、他の実施形態に関連してそのような特徴、構造、または特性を実施することは、当業者の知識の範囲内であることが提出されている。
【０１３４】
本開示は、特定の実施形態について説明してきたが、実施形態の変更および変形は、当技術分野に熟練した者には明らかであろう。したがって、上記の実施形態の説明は、本開示を制約するものではない。以下の特許請求の範囲によって定義されるように、本開示の精神および範囲から逸脱することなく、他の変更、置換、および変更が可能である。
【０１３５】
本開示では、以下の略語の少なくとも一部を使用することができる。略語の間に矛盾がある場合、上記の使用方法が優先されるべきである。以下に複数回記載されている場合、後続のいずれかの記載よりも最初に記載されているものが優先されるべきである。
【０１３６】
略語  説明
１ｘＲＴＴ  ＣＤＭＡ２０００の１ｘ無線送信テクノロジー
３ＧＰＰ  第３世代パートナーシッププロジェクト
５Ｇ  第５世代
ＡＢＳ  ほぼ空白のサブフレーム
ＡＲＱ  自動再送要求
ＡＷＧＮ  加法性白色ガウス雑音
ＢＣＣＨ  ブロードキャスト制御チャネル
ＢＣＨ  ブロードキャストチャネル
ＢＬＥＲ  ブロックエラー率
ＣＡ  キャリアアグリゲーション
ＣＣ  キャリアコンポーネント
ＣＣＣＨ＿ＳＤＵ  共通制御チャネルＳＤＵ
ＣＤＭＡ  符号分割多元接続
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ＿Ｅｃ／Ｎｏ  バンドあたりの電力密度で割ったチップあたりのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＣＩ  ダウンリンク制御情報
ＤＦＴＳ＿ＯＦＤＭ  離散フーリエ変換拡散ＯＦＤＭ
ＤＬ  ダウンリンク
ＤＭ  復調
ＤＭＲＳ  復調参照信号
ＤＲＸ  不連続受信
ＤＴＸ  不連続送信
ＤＴＣＨ  専用トラフィックチャネル
ＤＵＴ  テスト対象デバイス
Ｅ−ＣＩＤ  強化セルＩＤ（測位方法）
Ｅ−ＳＭＬＣ  進化型サービングモバイルロケーションセンター
ＥＣＧＩ  進化型ＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  進化型サービングモバイルロケーションセンター
Ｅ−ＵＴＲＡ  進化型ＵＴＲＡ
Ｅ−ＵＴＲＡＮ  進化型ＵＴＲＡＮ
ＦＤＤ  周波数分割複信
ＧＥＲＡＮ  ＧＳＭ＿ＥＤＧＥ無線アクセスネットワーク
ｇＮＢ  ＮＲの基地局
ＧＮＳＳ  全地球航法衛星システム
ＧＳＭ  モバイル通信のグローバルシステム
ＨＡＲＱ  ハイブリッド自動再送要求
ＨＯ  ハンドオーバー
ＨＳＰＡ  高速パケットアクセス
ＨＲＰＤ  高レートパケットデータ
ＩＲ−ＨＡＲＱ  増分冗長ＨＡＲＱ
Ｌ１  レイヤー１
ＬＬＲ  対数尤度比
ＬＯＳ  視線
ＬＰＰ  ＬＴＥ測位プロトコル
ＬＴＥ  ロングタームエボリューション
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ＿ＡＢＳ  ＭＢＳＦＮのほぼ空白のサブフレーム
ＭＤＴ  ドライブテストの最小化
ＭＩＢ  マスター情報ブロック
ＭＭＥ  モビリティ管理エンティティ
ＭＳＣ  移動交換局
ＮＰＤＣＣＨ  狭帯域物理ダウンリンク制御チャネル
ＮＲ  ニューラジオ
ＯＣＮＧ  ＯＦＤＭＡチャネル雑音発生器
ＯＦＤＭ  直交周波数分割複信
ＯＦＤＭＡ  直交周波数分割多元接続
ＯＳＳ  運用支援システム
ＯＴＤＯＡ  観測された到着時間差
Ｏ＆Ｍ  運用および保守
ＰＢＣＨ  物理ブロードキャストチャネル
Ｐ−ＣＣＰＣＨ  プライマリ共通制御物理チャネル
ＰＣｅｌｌ  プライマリセル
ＰＣＦＩＣＨ  物理制御形式インジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＤＵ  プロトコルデータユニット
ＰＧＷ  パケットゲートウェイ
ＰＨＩＣＨ  物理ハイブリッドＡＲＱインジケータチャネル
ＰＬＭＮ  公衆地上移動ネットワーク
ＰＭＩ  プリコーダーマトリックスインジケーター
ＰＲＡＣＨ  物理ランダムアクセスチャネル
ＰＲＳ  測位参照信号
ＰＳＳ  プライマリ同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直角位相振幅変調
ＲＡＮ  無線アクセスネットワーク
ＲＡＴ  無線アクセス技術
ＲＬＭ  無線リンク管理
ＲＮＣ  無線ネットワークコントローラー
ＲＮＴＩ  無線ネットワーク一時識別子
ＲＲＣ  無線リソース制御
ＲＲＭ  無線リソース管理
ＲＳ  参照信号
ＲＳＣＰ  受信信号符号電力
ＲＳＲＰ  参照シンボル受信電力または参照信号受信電力
ＲＳＲＱ  参照信号受信品質または参照シンボル受信品質
ＲＳＳＩ  受信信号強度インジケータ
ＲＳＴＤ  参照信号時間差
ＳＣ  連続キャンセル
ＳＣＬ  連続キャンセルリスト
ＳＣＨ  同期チャネル
ＳＣｅｌｌ  セカンダリセル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＰＳ  半永続的スケジューリング
ＳＳ  同期信号
ＳＳＢ  同期信号ブロック
ＳＳＳ  セカンダリ同期信号
ＴＤＤ  時分割複信
ＴＤＯＡ  到着時間差
ＴＯＡ  到着時刻
ＴＳＳ  三次同期信号
ＴＴＩ  送信時間間隔
ＵＣＩ  アップリンク制御情報
ＵＥ  ユーザ装置
ＵＬ  アップリンク
ＵＭＴＳ  ユニバーサルモバイル通信システム
ＵＲＬＬＣ  超高信頼低遅延通信
ＵＳＩＭ  ユニバーサル加入者識別モジュール
ＵＴＤＯＡ  アップリンク到着時間差
ＵＴＲＡ  ユニバーサル地上無線アクセス
ＵＴＲＡＮ  ユニバーサル地上無線アクセスネットワーク
Ｖ２Ｘ  車両対すべて
ＶｏＩＰ  ボイスオーバーインターネットプロトコル
ＷＣＤＭＡ  ワイドＣＤＭＡ
ＷＬＡＮ  ワイドローカルエリアネットワーク
【図１】
2020537372.tif 000003
【図２】
2020537372.tif 000004
【図３】
2020537372.tif 000005
【図４】
2020537372.tif 000006
【図５】
2020537372.tif 000007
【図６】
2020537372.tif 000008
【図７】
2020537372.tif 000009
【図８】
2020537372.tif 000010
【図９】
2020537372.tif 000011
【図１０】
2020537372.tif 000012
【図１１】
2020537372.tif 000013
【図１２】
2020537372.tif 000014
【図１３】
2020537372.tif 000015
【図１４】
2020537372.tif 000016
【国際調査報告】
2020537372.tif 000017
2020537372.tif 000018
2020537372.tif 000019